(57)【要約】  本開示は、ＨＡＲＱ−ＡＣＫメッセージの伝送方法、端末及び基地局を提供する。ここで、伝送方法において、帯域幅部分ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定するステップを含む。【選択図】  図４
2021517439.tif 000002
【特許請求の範囲】
【請求項１】
ハイブリッド自動再送要求確認ＨＡＲＱ−ＡＣＫメッセージの伝送方法であって、
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを含む、ハイブリッド自動再送要求確認ＨＡＲＱ−ＡＣＫメッセージの伝送方法。
【請求項２】
前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む、請求項１に記載の方法。
【請求項３】
前記の所定の規則に基づいて、前記ＢＷＰ切り替え後に前記物理下りリンクチャネルのＨＡＲＱ−ＡＣＫを伝送するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送するステップ、及び／又は、
周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップを含む、請求項１に記載の方法。
【請求項４】
前記の前記ＢＷＰ切り替え後に前記物理下りリンクチャネルのＨＡＲＱ−ＡＣＫを伝送するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを含む、請求項３に記載の方法。
【請求項５】
前記の所定の規則に基づいて、前記ＢＷＰ切り替え後に前記物理下りリンクチャネルのＨＡＲＱ−ＡＣＫを伝送するか否かを決定するステップは、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、
前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップを含む、請求項１に記載の方法。
【請求項６】
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項５に記載の方法。
【請求項７】
前記ＢＷＰ切り替えは、下りＤＬ  ＢＷＰ及び／又は上りＵＬ  ＢＷＰ切り替えを含む、請求項１〜６のいずれか一項に記載の方法。
【請求項８】
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項１〜６のいずれか一項に記載の方法。
【請求項９】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項１〜６のいずれか一項に記載の方法。
【請求項１０】
ハイブリッド自動再送要求確認ＨＡＲＱ−ＡＣＫメッセージの伝送方法であって、
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを含む、ハイブリッド自動再送要求確認ＨＡＲＱ−ＡＣＫメッセージの伝送方法。
【請求項１１】
前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む、請求項１０に記載の方法。
【請求項１２】
前記の所定の規則に基づいて、前記ＢＷＰ切り替え後に前記物理下りリンクチャネルのＨＡＲＱ−ＡＣＫを受信するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信するステップ、及び／又は、
周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップを含む、請求項１０に記載の方法。
【請求項１３】
前記ＢＷＰ切り替え後に前記物理下りリンクチャネルのＨＡＲＱ−ＡＣＫを受信するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを含む、請求項１２に記載の方法。
【請求項１４】
前記の所定の規則に基づいて、前記ＢＷＰ切り替え後に前記物理下りリンクチャネルのＨＡＲＱ−ＡＣＫを受信するか否かを決定するステップは、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、
前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップを含む、請求項１０に記載の方法。
【請求項１５】
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項１４に記載の方法。
【請求項１６】
前記ＢＷＰ切り替えは、下りＤＬ  ＢＷＰ及び／又は上りＵＬ  ＢＷＰ切り替えを含む、請求項１０〜１５のいずれか一項に記載の方法。
【請求項１７】
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項１０〜１５のいずれか一項に記載の方法。
【請求項１８】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項１０〜１５のいずれか一項に記載の方法。
【請求項１９】
トランシーバと、メモリと、プロセッサと、メモリに記憶されてプロセッサで動作可能なコンピュータプログラムを含む端末であって、
前記プロセッサは、前記コンピュータプログラムを実行すると、
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを実現する、端末。
【請求項２０】
前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む、請求項１９に記載の端末。
【請求項２１】
前記プロセッサは、更に、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを前記トランシーバによって伝送するステップ、及び／又は、
周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップを実行することに用いられる、請求項１９に記載の端末。
【請求項２２】
前記トランシーバは、更に、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを実行することに用いられる、請求項２１に記載の端末。
【請求項２３】
前記プロセッサは、更に、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、
前記トランシーバを制御し、前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップを実行することに用いられる、請求項１９に記載の端末。
【請求項２４】
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項２３に記載の端末。
【請求項２５】
前記ＢＷＰ切り替えは、下りＤＬ  ＢＷＰ及び／又は上りＵＬ  ＢＷＰ切り替えを含む、請求項１９〜２４のいずれか一項に記載の端末。
【請求項２６】
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項１９〜２４のいずれか一項に記載の端末。
【請求項２７】
前記トランシーバが前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送し、又は、
ＦＤＤにおいて、ＤＬ  ＢＷＰ切り替えの際に、動的ＨＡＲＱ−ＡＣＫコードブックで前記ＨＡＲＱ−ＡＣＫを伝送し、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送する、請求項１９〜２４のいずれか一項に記載の端末。
【請求項２８】
コンピュータプログラムが記憶されているコンピュータ読み取り可能な記憶媒体であって、
該コンピュータプログラムがプロセッサによって実行されると、前記プロセッサは、請求項１〜９のいずれか一項に記載のハイブリッド自動再送要求確認ＨＡＲＱ−ＡＣＫメッセージの伝送方法のステップを実現する、コンピュータ読み取り可能な記憶媒体。
【請求項２９】
トランシーバと、メモリと、プロセッサと、メモリに記憶されてプロセッサで動作可能なコンピュータプログラムを含む基地局であって、
前記プロセッサは、前記コンピュータプログラムを実行すると、
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを実現する、基地局。
【請求項３０】
前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む、請求項２９に記載の基地局。
【請求項３１】
前記プロセッサは、更に、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを前記トランシーバによって受信するステップ、及び／又は、
周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップを実行することに用いられる、請求項２９に記載の基地局。
【請求項３２】
前記トランシーバは、更に、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを実行することに用いられる、請求項３１に記載の基地局。
【請求項３３】
前記プロセッサは、更に、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、
前記トランシーバを制御して、前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップを実行することに用いられる、請求項２９に記載の基地局。
【請求項３４】
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項３３記載の基地局。
【請求項３５】
前記ＢＷＰ切り替えは、下りＤＬ  ＢＷＰ及び／又は上りＵＬ  ＢＷＰ切り替えを含む、請求項２９〜３４のいずれか一項に記載の基地局。
【請求項３６】
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項２９〜３４のいずれか一項に記載の基地局。
【請求項３７】
前記トランシーバが前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送し、又は、
ＦＤＤにおいて、ＤＬ  ＢＷＰ切り替えの際に、動的ＨＡＲＱ−ＡＣＫコードブックで前記ＨＡＲＱ−ＡＣＫを伝送し、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送する、請求項２９〜３４のいずれか一項に記載の基地局。
【請求項３８】
コンピュータプログラムが記憶されているコンピュータ読み取り可能な記憶媒体であって、
該コンピュータプログラムがプロセッサによって実行されると、前記プロセッサは、請求項１０〜１８のいずれか一項に記載のハイブリッド自動再送要求確認ＨＡＲＱ−ＡＣＫメッセージの伝送方法のステップを実現する、コンピュータ読み取り可能な記憶媒体。
【請求項３９】
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するための第１決定モジュールを含む、端末。
【請求項４０】
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するための第２決定モジュールを含む、基地局。
【発明の詳細な説明】
【技術分野】
【０００１】
本願は、２０１８年４月４日に中国特許庁に提出された中国特許出願２０１８１０３０２３０６．０の優先権を主張し、その全ての内容が援用によりここに取り込まれる。
本開示は、通信技術分野に係り、特にＨＡＲＱ−ＡＣＫメッセージの伝送方法、端末及び基地局に係る。
【背景技術】
【０００２】
移動通信サービスの需要の発展及び変化に伴い、国際電気通信連合ＩＴＵ（Ｉｎｔｅｒｎａｔｉｏｎａｌ  Ｔｅｌｅｃｏｍｍｕｎｉｃａｔｉｏｎ  Ｕｎｉｏｎ）などの複数の組織は、第５世代新無線アクセス技術５Ｇ  ＮＲ（５  Ｇｅｎｅｒａｔｉｏｎ  Ｎｅｗ  ＲＡＴ）という新しい無線通信システムの研究を開始している。５Ｇ  ＮＲでは、柔軟なタイミング関係がサポートされている。物理下りリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）について、そのスケジューリング情報を搬送する物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）は、ＰＤＳＣＨとＰＤＣＣＨとの間のスケジューリングタイミング関係（Ｓｃｈｅｄｕｌｉｎｇ  ｔｉｍｉｎｇ）と、ＰＤＳＣＨとその対応するハイブリッド自動再送要求ＨＡＲＱ（Ｈｙｂｒｉｄ  Ａｕｔｏｍａｔｉｃ  Ｒｅｐｅａｔ  Ｒｅｑｕｅｓｔ）−確認ＡＣＫ（Ａｃｋｎｏｗｌｅｄｇｅｍｅｎｔ）のフィードバックタイミング関係とを指示する。具体的には、ＰＤＣＣＨによって使用される下り制御情報ＤＣＩ（Ｄｏｗｎｌｉｎｋ  Ｃｏｎｔｒｏｌ  Ｉｎｆｏｒｍａｔｉｏｎ）フォーマットにおける時間領域リソース割り当て指示フィールドは、ＰＤＳＣＨが存在するスロットとＤＣＩが存在するスロットとのスロットオフセットＫ０を指示し、ＤＣＩフォーマットにおけるＰＤＳＣＨ対ＨＡＲＱ−ＡＣＫフィードバックタイミング指示フィールドは、図１に示されるように、ＰＤＳＣＨ終了からＨＡＲＱ−ＡＣＫ開始までのスロット数Ｋ１を示す。Ｋ０の最大集合は、｛０，１，２，３，４，５，８，１０，１６，２０，３２｝である。
【０００３】
５Ｇ  ＮＲシステムでは、半静的（ｓｅｍｉ−ｓｔａｔｉｃ）及び動的（ｄｙｎａｍｉｃ）の２つのＨＡＲＱ−ＡＣＫコードブック（ｃｏｄｅｂｏｏｋ）生成方式がサポートされる。ＨＡＲＱ−ＡＣＫ  ｃｏｄｅｂｏｏｋとは、同一の時間領域位置又は上りチャネルでＨＡＲＱ−ＡＣＫフィードバックが行われる下り伝送に対して生成するＨＡＲＱ−ＡＣＫフィードバックシーケンスである。Ｄｙｎａｍｉｃ  ＨＡＲＱ−ＡＣＫ  ｃｏｄｅｂｏｏｋは、下りリンクＤＬ（Ｄｏｗｎｌｉｎｋ）  ＤＣＩの下り割り当てインデックスＤＡＩ（Ｄｏｗｎｌｉｎｋ  Ａｓｓｉｇｎｍｅｎｔ  Ｉｎｄｅｘ）フィールドの指示に基づいてＨＡＲＱ−ＡＣＫ順序付けを行い、ＨＡＲＱ−ＡＣＫ  ｃｏｄｅｂｏｏｋの総ビット数を決定する。従って、ｃｏｄｅｂｏｏｋサイズの動的変更は、異なるフィードバック時刻で実現される。
【０００４】
５Ｇ  ＮＲシステムでは、１つの搬送波に最大４個の帯域幅部分ＢＷＰ（ＢａｎｄＷｉｄｔｈ  Ｐａｒｔ）が含まれ、端末が１つの時刻で１つのＢＷＰでのみ動作し、該ＢＷＰを活性化ＢＷＰと呼ぶ。ＢＷＰの活性化は、タイマによってトリガーされてもよい。ＰＤＳＣＨ又は物理上りリンク共有チャネルＰＵＳＣＨ（Ｐｈｙｓｉｃａｌ  Ｕｐｌｉｎｋ  Ｓｈａｒｅｄ  Ｃｈａｎｎｅｌ）をスケジューリングするＰＤＣＣＨによってＢＷＰ切り替えを動的に指示してもよい。すなわち、ＰＤＣＣＨが使用するＤＣＩには、スケジューリングされた搬送波のどのＢＷＰでＰＤＳＣＨの受信又はＰＵＳＣＨの送信をするかを端末に指示するＢＷＰ指示フィールドが含まれ、指示されたＢＷＰ番号が活性化ＢＷＰである。指示されたＢＷＰ番号が、それまでにＰＤＳＣＨの受信又はＰＵＳＣＨの送信が行われたＢＷＰ番号と異なる場合、動的なＢＷＰ切り替えを端末に指示することを示す。すなわち、端末は、指示された新しいＢＷＰでＰＤＳＣＨの受信又はＰＵＳＣＨの送信をする必要があり、図２に示すように、該ＰＤＳＣＨ又はＰＵＳＣＨの後から新しいＢＷＰで動作する。ここで、ＢＷＰ切り替えを指示するＰＤＣＣＨの終了位置から、該ＰＤＣＣＨがスケジューリングするＰＤＳＣＨ又はＰＵＳＣＨの開始位置までの時間は、変換時間（ｔｒａｎｓｉｅｎｔ  ｔｉｍｅ）と呼ばれ、ＰＤＣＣＨ処理、無線周波数調整、上りデータの準備（ＰＵＳＣＨ伝送の場合）などの時間を含む。ｔｒａｎｓｉｅｎｔ  ｔｉｍｅでは、端末は、データの受信も送信も行わない。
【０００５】
ＢＷＰ切り替えは、ＤＬ  ＢＷＰ切り替えと上りリンクＵＬ（Ｕｐｌｉｎｋ）  ＢＷＰ切り替えとを含む。周波数分割複信ＦＤＤ（Ｆｒｅｑｕｅｎｃｙ  Ｄｉｖｉｓｉｏｎ  Ｄｕｐｌｅｘ）の場合、ＤＬとＵＬはペアリングされた独立スペクトルであるので、ＰＤＳＣＨをスケジューリングするＰＤＣＣＨは、ＤＬ  ＢＷＰ切り替えを通知するために使用され、ＰＵＳＣＨをスケジューリングするＰＤＣＣＨは、ＵＬ  ＢＷＰ切り替えを通知するために使用される。時分割複信ＴＤＤ（Ｔｉｍｅ  Ｄｉｖｉｓｉｏｎ  Ｄｕｐｌｅｘ）の場合、ＤＬとＵＬはスペクトルを共有するので、ＤＬ切り替えの際に、ＵＬ切り替えが同時に行われ、逆の場合もそうである。すなわち、ＰＤＳＣＨをスケジューリングするＰＤＣＣＨと、ＰＵＳＣＨをスケジューリングするＰＤＣＣＨの両方は、ＢＷＰ切り替えを通知するために使用され、切り替えの際に、ＤＬとＵＬ  ＢＷＰ切り替えが同時に行われる。タイマが満了したときは、ＢＷＰ切り替えを行う。ＴＤＤの場合は、ＵＬ  ＢＷＰとＤＬ  ＢＷＰをデフォルト（ｄｅｆａｕｌｔ）のＢＷＰに同時に切り替え、ＦＤＤの場合は、ＤＬ  ＢＷＰのみをｄｅｆａｕｌｔ  ＢＷＰに切り替えることをサポートしている。現在、これらの２つの切り替えメカニズムは、システム内に同時に存在し、端末が新しいＢＷＰ（ＰＤＣＣＨによって指示されるＢＷＰ、又はタイマによって切り替えられるｄｅｆａｕｌｔ  ＢＷＰ）に切り替えるときにタイマが開始し、ＢＷＰ切り替えを指示するＰＤＣＣＨが正しく受信されると、タイマが再開する。
【０００６】
以上をまとめると、図３に示すように、ＢＷＰ切り替えを指示するＰＤＣＣＨが１スロット（ｓｌｏｔ）で受信されると、そのスロットの前に、ＰＤＳＣＨ又は下り半永続スケジューリングＳＰＳ（ｓｅｍｉ−ｐｅｒｓｉｓｔｅｎｔ  ｓｃｈｅｄｕｌｉｎｇ）リソース解放を指示するＰＤＣＣＨが元のＢＷＰで受信された場合、それらのＰＤＳＣＨ又は下りＳＰＳリソース解放を指示するＰＤＣＣＨは、ＨＡＲＱ−ＡＣＫフィードバックを行う必要がある。しかし、Ｋ１の指示によりＨＡＲＱ−ＡＣＫフィードバックがＢＷＰ切り替え後に発生する可能性があり、その際に、それらのＰＤＳＣＨ又は下りＳＰＳリソース解放を指示するＰＤＣＣＨのＨＡＲＱ−ＡＣＫをどのように伝送するかは、まだ明確な方法がない。
【発明の概要】
【発明が解決しようとする課題】
【０００７】
本開示の一部実施例は、ＢＷＰ切り替え前に受信した物理下りリンクチャネルのＨＡＲＱ−ＡＣＫフィードバックをＢＷＰ切り替え後に行う際に、明確な伝送方式が規定されていないという従来技術の問題を解決するために、ＨＡＲＱ−ＡＣＫメッセージの伝送方法、端末及び基地局を提供する。
【課題を解決するための手段】
【０００８】
本開示の一部実施例は、ハイブリッド自動再送要求確認ＨＡＲＱ−ＡＣＫメッセージの伝送方法を提供し、帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを含む。
【０００９】
ここで、前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【００１０】
ここで、前記の所定の規則に基づいて、前記ＢＷＰ切り替え後に前記物理下りリンクチャネルのＨＡＲＱ−ＡＣＫを伝送するか否かを決定するステップは、物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送するステップ、及び／又は、周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップを含む。
【００１１】
ここで、前記の前記ＢＷＰ切り替え後に前記物理下りリンクチャネルのＨＡＲＱ−ＡＣＫを伝送するステップは、ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを含む。
【００１２】
ここで、前記の所定の規則に基づいて、前記ＢＷＰ切り替え後に前記物理下りリンクチャネルのＨＡＲＱ−ＡＣＫを伝送するか否かを決定するステップは、ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップを含む。
【００１３】
ここで、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【００１４】
ここで、前記ＢＷＰ切り替えは、下りＤＬ  ＢＷＰ及び／又は上りＵＬ  ＢＷＰ切り替えを含む。
【００１５】
ここで、時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【００１６】
ここで、前記物理下りリンクチャネルのＨＡＲＱ−ＡＣＫを前記ＢＷＰ切り替え後に伝送する場合、ＴＤＤにおいて、動的ＨＡＲＱ−ＡＣＫコードブックで前記ＨＡＲＱ−ＡＣＫを伝送するステップ、又は、ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む。
【００１７】
本開示の一部実施例は、ハイブリッド自動再送要求確認ＨＡＲＱ−ＡＣＫメッセージの伝送方法を更に提供し、帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを含む。
【００１８】
ここで、前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【００１９】
ここで、前記の所定の規則に基づいて、前記ＢＷＰ切り替え後に前記物理下りリンクチャネルのＨＡＲＱ−ＡＣＫを受信するか否かを決定するステップは、物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信するステップ、及び／又は、周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップを含む。
【００２０】
ここで、前記ＢＷＰ切り替え後に前記物理下りリンクチャネルのＨＡＲＱ−ＡＣＫを受信するステップは、ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを含む。
【００２１】
ここで、前記の所定の規則に基づいて、前記ＢＷＰ切り替え後に前記物理下りリンクチャネルのＨＡＲＱ−ＡＣＫを受信するか否かを決定するステップは、ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップを含む。
【００２２】
ここで、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【００２３】
ここで、前記ＢＷＰ切り替えは、下りＤＬ  ＢＷＰ及び／又は上りＵＬ  ＢＷＰ切り替えを含む。
【００２４】
ここで、時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【００２５】
ここで、前記物理下りリンクチャネルのＨＡＲＱ−ＡＣＫを前記ＢＷＰ切り替え後に伝送する場合、ＴＤＤにおいて、動的ＨＡＲＱ−ＡＣＫコードブックで前記ＨＡＲＱ−ＡＣＫを伝送するステップ、又は、ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む。
【００２６】
本開示の一部実施例は、トランシーバと、メモリと、プロセッサと、メモリに記憶されてプロセッサで動作可能なコンピュータプログラムを含む端末を更に提供し、前記プロセッサは、前記コンピュータプログラムを実行すると、帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを実現する。
【００２７】
ここで、前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【００２８】
ここで、前記プロセッサは、更に、物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを前記トランシーバによって伝送するステップ、及び／又は、周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップを実行することに用いられる。
【００２９】
ここで、前記トランシーバは、更に、ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを実行することに用いられる。
【００３０】
ここで、前記プロセッサは、更に、ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、前記トランシーバを制御し、前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップを実行することに用いられる。
【００３１】
ここで、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【００３２】
ここで、前記ＢＷＰ切り替えは、下りＤＬ  ＢＷＰ及び／又は上りＵＬ  ＢＷＰ切り替えを含む。
【００３３】
ここで、時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【００３４】
ここで、前記トランシーバが前記物理下りリンクチャネルのＨＡＲＱ−ＡＣＫを前記ＢＷＰ切り替え後に伝送する場合、ＴＤＤにおいて、動的ＨＡＲＱ−ＡＣＫコードブックで前記ＨＡＲＱ−ＡＣＫを伝送し、又は、ＦＤＤにおいて、ＤＬ  ＢＷＰ切り替えの際に、動的ＨＡＲＱ−ＡＣＫコードブックで前記ＨＡＲＱ−ＡＣＫを伝送し、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送する。
【００３５】
本開示の一部実施例は、コンピュータプログラムが記憶されているコンピュータ読み取り可能な記憶媒体を更に提供し、該コンピュータプログラムがプロセッサによって実行されると、上記端末側のハイブリッド自動再送要求確認ＨＡＲＱ−ＡＣＫメッセージの伝送方法のステップが実現される。
【００３６】
本開示の一部実施例は、トランシーバと、メモリと、プロセッサと、メモリに記憶されてプロセッサで動作可能なコンピュータプログラムを含む基地局を更に提供し、前記プロセッサは、前記コンピュータプログラムを実行すると、帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを実現する。
【００３７】
ここで、前記物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【００３８】
ここで、前記プロセッサは、更に、物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを前記トランシーバによって受信するステップ、及び／又は、周波数分割複信ＦＤＤにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップを実行することに用いられる。
【００３９】
ここで、前記トランシーバは、更に、ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを実行することに用いられる。
【００４０】
ここで、前記プロセッサは、更に、ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つＦＤＤにおいて前記ＢＷＰ切り替えがＵＬ  ＢＷＰ切り替えである場合、又は、ＰＵＣＣＨ伝送に用いられる搬送波で前記ＢＷＰ切り替えが発生し且つ時分割複信ＴＤＤである場合、前記トランシーバを制御して、前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップを実行することに用いられる。
【００４１】
ここで、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【００４２】
ここで、前記ＢＷＰ切り替えは、下りＤＬ  ＢＷＰ及び／又は上りＵＬ  ＢＷＰ切り替えを含む。
【００４３】
ここで、時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【００４４】
ここで、前記トランシーバが前記物理下りリンクチャネルのＨＡＲＱ−ＡＣＫを前記ＢＷＰ切り替え後に伝送する場合、ＴＤＤにおいて、動的ＨＡＲＱ−ＡＣＫコードブックで前記ＨＡＲＱ−ＡＣＫを伝送し、又は、ＦＤＤにおいて、ＤＬ  ＢＷＰ切り替えの際に、動的ＨＡＲＱ−ＡＣＫコードブックで前記ＨＡＲＱ−ＡＣＫを伝送し、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送する。
【００４５】
本開示の一部実施例は、コンピュータプログラムが記憶されているコンピュータ読み取り可能な記憶媒体を更に提供し、該コンピュータプログラムがプロセッサによって実行されると、上記基地局側のハイブリッド自動再送要求確認ＨＡＲＱ−ＡＣＫメッセージの伝送方法のステップが実現される。
【００４６】
本開示の一部実施例は、別の端末を更に提供し、該端末は、帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するための第１決定モジュールを含む。
【００４７】
本開示の一部実施例は、別の基地局を更に提供し、該基地局は、帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するための第２決定モジュールを含む。
【発明の効果】
【００４８】
本開示の技術手段において、ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定することによって、設定条件に基づいて、物理下りリンクチャネルのＨＡＲＱ−ＡＣＫの切り替え後の伝送状況を決定することを実現するとともに、ＢＷＰ切り替えにおける物理下りリンクチャネルのＨＡＲＱ−ＡＣＫの正常なフィードバックを保証することができるので、システム効率を向上させる。
【図面の簡単な説明】
【００４９】
以下、本開示の一部実施例の図面を参照しながら、本開示の一部実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本発明の保護範囲に属するものである。
【００５０】
【図１】従来技術においてＰＤＣＣＨによって使用されるＤＣＩに指示されるスロットオフセットとスロット数を示す図である。
【図２】従来技術におけるＢＷＰ切り替えを示す図である。
【図３】従来技術において元のＢＷＰで受信した物理下りリンクチャネルのＨＡＲＱ−ＡＣＫフィードバックをＢＷＰ切り替え後に行うことを示す図である。
【図４】本開示の一部実施例におけるＨＡＲＱ−ＡＣＫメッセージの伝送方法を示す図その１である。
【図５】本開示の一部実施例の例１におけるＴＤＤのＨＡＲＱ−ＡＣＫメッセージの伝送を示す図である。
【図６】本開示の一部実施例の例１におけるＦＤＤのＵＬ  ＢＷＰ切り替えのＨＡＲＱ−ＡＣＫメッセージの伝送を示す図である。
【図７】本開示の一部実施例の例１におけるＦＤＤのＤＬ  ＢＷＰ切り替えのＨＡＲＱ−ＡＣＫメッセージの伝送を示す図である。
【図８】本開示の一部実施例の例２におけるＴＤＤのＨＡＲＱ−ＡＣＫメッセージの伝送を示す図である。
【図９】本開示の一部実施例の例３におけるＦＤＤのＨＡＲＱ−ＡＣＫメッセージの伝送を示す図である。
【図１０】本開示の一部実施例の例４におけるＴＤＤのＨＡＲＱ−ＡＣＫメッセージの伝送を示す図である。
【図１１】本開示の一部実施例の例４におけるＦＤＤのＨＡＲＱ−ＡＣＫメッセージの伝送を示す図である。
【図１２】本開示の一部実施例の例５におけるＨＡＲＱ−ＡＣＫメッセージの伝送を示す図である。
【図１３】本開示の一部実施例の例６におけるＨＡＲＱ−ＡＣＫメッセージの伝送を示す図である。
【図１４】本開示の一部実施例におけるＨＡＲＱ−ＡＣＫメッセージの伝送方法を示す図その２である。
【図１５】本開示の一部実施例による端末の１つの構造を示す図である。
【図１６】本開示の一部実施例による端末の別の構造を示す図である。
【図１７】本開示の一部実施例による基地局の１つの構造を示す図である。
【図１８】本開示の一部実施例による基地局の別の構造を示す図である。
【発明を実施するための形態】
【００５１】
以下、本開示の一部実施例の図面を参照しながら、本開示の一部実施例の技術手段を明確且つ完全に記載する。明らかに、記載する実施例は、本開示の実施例の一部であり、全てではない。本開示の実施例に基づき、当業者が創造性のある作業をしなくても為しえる全ての他の実施例は、本発明の保護範囲に属するものである。
【００５２】
本開示の一部実施例は、ハイブリッド自動再送要求確認ＨＡＲＱ−ＡＣＫメッセージの伝送方法を提供し、図４に示すように、帯域幅部分ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定するステップ４０１を含む。
【００５３】
基地局から送信された物理下りリンクチャネルを端末がＢＷＰ切り替え前に受信し、且つ受信した物理下りリンクチャネルのＨＡＲＱ−ＡＣＫフィードバックがＢＷＰ切り替え後に必要となると、端末は、基地局と共通に定められた所定の規則に基づいて、ＢＷＰ切り替え後に物理下りリンクチャネルのＨＡＲＱ−ＡＣＫを伝送するか否かを決定する。物理下りチャネルのＨＡＲＱ−ＡＣＫをＢＷＰ切り替え後に伝送することが決定されると、伝送プロセスは、対応するポリシーを用いて実行される。
【００５４】
上記方法は、設定条件に基づいて、ＢＷＰ切り替え後に物理下りリンクチャネルのＨＡＲＱ−ＡＣＫの伝送状況を決定することができるとともに、ＢＷＰ切り替えにおける物理下りリンクチャネルのＨＡＲＱ−ＡＣＫの正常なフィードバックを保証することができるので、システム効率を向上させる。
【００５５】
ここで、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【００５６】
ＢＷＰ切り替え前に、ＢＷＰ切り替え後にＨＡＲＱ−ＡＣＫフィードバックが必要となるＰＤＳＣＨを受信した場合、所定の規則に基づいて、ＢＷＰ切り替え後にＰＤＳＣＨのＨＡＲＱ−ＡＣＫを伝送できるか否かを決定する。ＢＷＰ切り替え前に、ＢＷＰ切り替え後にＨＡＲＱ−ＡＣＫフィードバックが必要な下りＳＰＳリソース解放を指示するＰＤＣＣＨを受信した場合、ＢＷＰ切り替え後にＰＤＣＣＨのＨＡＲＱ−ＡＣＫを伝送できるか否かを所定の規則に基づいて決定する。
【００５７】
本開示の一部実施例において、所定の規則に基づいて、ＢＷＰ切り替え後に物理下りリンクチャネルのＨＡＲＱ−ＡＣＫを伝送するか否かを決定するステップは、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫを伝送するステップ、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを伝送するステップを含む。
【００５８】
ＢＷＰ切り替え後に物理下りリンクチャネルのＨＡＲＱ−ＡＣＫを伝送するか否かを決定する際には、物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）伝送に用いられる搬送波でＢＷＰ切り替えが発生したか否かをまず検出し、ＰＵＣＣＨ伝送に用いられない搬送波でＢＷＰ切り替えが発生した場合、ＢＷＰ切り替え後に物理下りリンクチャネルのＨＡＲＱ−ＡＣＫを伝送する。
【００５９】
周波数分割複信ＦＤＤにおいて、ＢＷＰ切り替えがＤＬ  ＢＷＰ切り替えであると、物理下りリンクチャネルのＨＡＲＱ−ＡＣＫをＢＷＰ切り替え後に伝送することもある。すなわち、ＦＤＤシステムの場合、ＤＬ  ＢＷＰ切り替えが発生したのは、ＰＵＣＣＨ伝送に用いられる搬送波であろうと、ＰＵＣＣＨ伝送に用いられない搬送波であろうと、ＨＡＲＱ−ＡＣＫの伝送に影響を与えない。これは、ＦＤＤでは、ＤＬ  ＢＷＰ切り替えしか存在しない場合、ＰＵＣＣＨ伝送に用いられるＵＬ  ＢＷＰが変換されないため、切り替え前のＰＤＣＣＨに基づいて該ＵＬ  ＢＷＰの上りチャネル伝送リソースを決定しても、切り替え後のＰＤＣＣＨに基づいて該ＵＬ  ＢＷＰの上りチャネル伝送リソースを決定しても、衝突が発生しないためである。
【００６０】
本開示の一部実施例において、ＢＷＰ切り替え後に物理下りリンクチャネルのＨＡＲＱ−ＡＣＫを伝送できることが決定されると、伝送プロセスを実行する必要がある。ＢＷＰ切り替え後に物理下りリンクチャネルのＨＡＲＱ−ＡＣＫを伝送するステップは、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを伝送するステップを含む。
【００６１】
ＢＷＰ切り替え後に物理下りリンクチャネルのＨＡＲＱ−ＡＣＫを伝送する場合、ＰＵＣＣＨ伝送に用いられる搬送波上の１つのＢＷＰで伝送し、具体的には、ＰＵＣＣＨ又はＰＵＳＣＨによって伝送する。
【００６２】
以下、ＰＵＣＣＨ伝送に用いられない搬送波でＢＷＰ切り替えが発生する場合を具体例で説明し、例１を参照する。
【００６３】
例１：
図５に示すように、搬送波成分ＣＣ（Ｃｏｍｐｏｎｅｎｔ  Ｃａｒｒｉｅｒ）１がＰＵＣＣＨ伝送用であり、活性化ＢＷＰがＢＷＰ１であり、ＣＣ２が副搬送波成分ＳＣＣ（Ｓｅｃｏｎｄａｒｙ  Ｃｏｍｐｏｎｅｎｔ  Ｃａｒｒｉｅｒ）であり、ＰＵＣＣＨ伝送用でない場合、ＣＣ２でＤＬ  ＢＷＰ切り替えが発生すると、ＨＡＲＱ−ＡＣＫフィードバック情報を伝送するＣＣとＢＷＰは変化しないので、ＣＣ２での下り伝送が切り替え前と切り替え後のＤＬ  ＢＷＰに関わらず、そのＨＡＲＱ−ＡＣＫフィードバックは、指示されたＫ１に従って、ＣＣ１でのＢＷＰ１での対応する時刻で伝送されることが決定される。例えば、スケジューリングに基づいて、ＣＣ１のＤＬ  ＢＷＰ１上のＰＤＳＣＨ３、ＣＣ２のＤＬ  ＢＷＰ１上のＰＤＳＣＨ１、及びＣＣ２のＤＬ  ＢＷＰ２上のＰＤＳＣＨ２が、ＣＣ１のＵＬ  ＢＷＰ１上のスロットｎ＋６においてＨＡＲＱ−ＡＣＫフィードバックを行うことが決定されると、ｄｙｎａｍｉｃ  ＨＡＲＱ−ＡＣＫ  ｃｏｄｅｂｏｏｋにおいて、基地局は、ＰＤＣＣＨ毎に使用されるＤＣＩのＣ−ＤＡＩ（Ｃｏｕｎｔｅｒ  ＤＡＩ）によって複数のＰＤＳＣＨを連続的にカウントし、スロットｎ＋６において伝送されるＨＡＲＱ−ＡＣＫ総ビット数をＴ−ＤＡＩ（Ｔｏｔａｌ  ＤＡＩ）によって与える。それによって、ＣＣ２上のＤＬ  ＢＷＰ切り替え前及びＤＬ  ＢＷＰ切り替え後のＰＤＳＣＨのＨＡＲＱ−ＡＣＫが同一のＰＵＣＣＨにおいて複信されて伝送されることを実現し、ＰＵＣＣＨリソースは、最後のＰＤＣＣＨのＨＡＲＱ−ＡＣＫリソース指示ＡＲＩ（ＡＣＫ  ｒｅｓｏｕｒｃｅ  ｉｎｄｉｃａｔｉｏｎ）フィールドによって指示される。もちろん、ＰＤＳＣＨ１、ＰＤＳＣＨ２及びＰＤＳＣＨ３のＨＡＲＱ−ＡＣＫは、ＣＣ１のＢＷＰ１上の異なるｓｌｏｔで伝送されてもよい。この場合は、ＰＤＳＣＨ１、ＰＤＳＣＨ２及びＰＤＳＣＨ３をスケジューリングするＰＤＣＣＨにおけるＫ１値のそれぞれから時間領域位置を決定することに相当し、ＨＡＲＱ−ＡＣＫリソース指示フィールドの指示から、該当するｓｌｏｔにおけるＰＵＣＣＨリソースを特定し、それぞれ伝送すればよい。ＣＣ２でＵＬ  ＢＷＰ切り替えを行うと、同様に下り伝送のＨＡＲＱ−ＡＣＫフィードバックのＣＣ１のＢＷＰ１での伝送に影響を与えない。
【００６４】
ＦＤＤの場合、ＰＵＣＣＨ伝送に用いられない搬送波上でのＵＬ又はＤＬの切り替えは、図６及び図７に示すように、ＴＤＤと同様に行われ、具体的なプロセスは、繰り返して記載しない。また、ＦＤＤの場合、ＰＵＣＣＨ伝送に用いられる搬送波上でＤＬ切り替えが発生する場合、ＰＵＣＣＨ伝送に用いられるＵＬ  ＢＷＰは変化しないため、切り替え前後のリソース指示に影響を与えず、切り替え前の下り伝送のＨＡＲＱ−ＡＣＫフィードバックは、同様に切り替え後に伝送できる。
【００６５】
以下、ＰＵＣＣＨ伝送に用いられる搬送波でＢＷＰ切り替えが発生する場合について紹介する。
【００６６】
本開示の一部実施例において、所定の規則に基づいて、前記ＢＷＰ切り替え後に物理下りリンクチャネルのＨＡＲＱ−ＡＣＫを伝送するか否かを決定するステップは、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後にＰＵＣＣＨによる物理下りリンクチャネルのＨＡＲＱ−ＡＣＫの伝送を行わないステップ、又は、ＢＷＰ切り替え後にＰＵＣＣＨのみによる物理下りリンクチャネルのＨＡＲＱ−ＡＣＫの伝送を行わないステップ、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを伝送するステップを含む。
【００６７】
ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後に物理下りリンクチャネルのＨＡＲＱ−ＡＣＫの伝送は、以下の複数のケースを含む。ＢＷＰ切り替え後にＰＵＣＣＨによる物理下りリンクチャネルのＨＡＲＱ−ＡＣＫの伝送を行わない。又は、ＢＷＰ切り替え後にＰＵＣＣＨのみによる物理下りリンクチャネルのＨＡＲＱ−ＡＣＫの伝送を行わない。又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて上りチャネルを決定し、決定された上りチャネルで物理下りリンクチャネルのＨＡＲＱ−ＡＣＫを伝送する。なお、切り替え完了後の時刻は、変換時間後の時刻である。
【００６８】
ここで、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【００６９】
物理下りリンクチャネルのＨＡＲＱ−ＡＣＫは、ＢＷＰ切り替え後に、決定された上りチャネルで伝送される。ここで、決定された上りチャネルは、ＰＵＣＣＨ又はＰＵＳＣＨである。ここで、ＰＵＣＣＨを決定する際、ＢＷＰ切り替えを指示するＰＤＣＣＨにおけるＨＡＲＱ−ＡＣＫリソース指示フィールドによって決定してもよいし、ＢＷＰ切り替え完了後に送信されるＰＤＣＣＨにおけるＨＡＲＱ−ＡＣＫリソース指示フィールドによって決定してもよいし、ＢＷＰ切り替えポイントの後に送信されるＰＤＣＣＨにおけるＨＡＲＱ−ＡＣＫリソース指示フィールドによって決定してもよい。
【００７０】
ＰＵＳＣＨを決定する際、ＢＷＰ切り替えを指示するＰＤＣＣＨがスケジューリングするＰＵＳＣＨを、物理下りリンクチャネルのＨＡＲＱ−ＡＣＫを伝送するＰＵＳＣＨとしてもよいし、ＢＷＰ切り替え完了後に送信されるＰＤＣＣＨがスケジューリングするＰＵＳＣＨを、物理下りリンクチャネルのＨＡＲＱ−ＡＣＫを伝送するＰＵＳＣＨとしてもよいし、ＢＷＰ切り替えポイントの後に送信されるＰＤＣＣＨがスケジューリングするＰＵＳＣＨを、物理下りリンクチャネルのＨＡＲＱ−ＡＣＫを伝送するＰＵＳＣＨとしてもよい。このとき、ＨＡＲＱ−ＡＣＫがＰＵＳＣＨ上で伝送されること、例えば、ＰＵＳＣＨの開始シンボルに対して、ＨＡＲＱ−ＡＣＫに対応するＰＵＣＣＨリソースの開始シンボルが先行し又は揃っていることを保証する必要がある。
【００７１】
ここで、ＢＷＰ切り替えは、ＰＵＣＣＨ伝送に用いられる搬送波上で発生するか、ＰＵＣＣＨ伝送に用いられない搬送波上で発生するかにかかわらず、ＢＷＰ切り替えは、下りＤＬ  ＢＷＰ及び／又は上りＵＬ  ＢＷＰ切り替えを含む。
【００７２】
時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【００７３】
具体的には、ＴＤＤの場合、ＢＷＰ切り替えは、タイマ又はＰＤＣＣＨでトリガーされるＵＬ／ＤＬ  ＢＷＰ切り替えを含む。ここで、ＴＤＤのＵＬ  ＢＷＰとＤＬ  ＢＷＰ切り替えは、同時に行われる。ＦＤＤの場合、ＢＷＰ切り替えは、タイマ又はＰＤＣＣＨ指示によってトリガーされるＤＬ及び／又はＵＬ  ＢＷＰ切り替えを含む。ここで、ＤＬ  ＢＷＰ切り替えは、タイマによってトリガーされ、又は、ＤＬ  ｇｒａｎｔを搬送するＰＤＣＣＨによってトリガーされるが、ＵＬ  ＢＷＰ切り替えは、ＵＬ  ｇｒａｎｔを搬送するＰＤＣＣＨによってトリガーされる。
【００７４】
ここで、物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送すること、又は、ＦＤＤにおいて、ＤＬ  ＢＷＰ切り替えの際に、動的ＨＡＲＱ−ＡＣＫコードブックでＨＡＲＱ−ＡＣＫを伝送すること、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送することを含む。
【００７５】
物理下りリンクチャネルのＨＡＲＱ−ＡＣＫを伝送する場合、ＴＤＤにおいて、ＤＬ  ＢＷＰ切り替えが発生すると、動的ＨＡＲＱ−ＡＣＫコードブックでＨＡＲＱ−ＡＣＫを伝送する。ＦＤＤにおいて、ＤＬ  ＢＷＰ切り替えとＵＬ  ＢＷＰ切り替えに対応する伝送は、相違する。ＤＬ  ＢＷＰ切り替えが発生すると、動的ＨＡＲＱ−ＡＣＫコードブックでＨＡＲＱ−ＡＣＫを伝送するが、ＵＬ  ＢＷＰ切り替えが発生すると、ＨＡＲＱ−ＡＣＫは、動的ＨＡＲＱ−ＡＣＫコードブックで伝送し、又は、半静的ＨＡＲＱ−ＡＣＫコードブックで伝送する。
【００７６】
以上は、ＰＵＣＣＨ伝送に用いられる搬送波でＢＷＰ切り替えが発生する場合の概略説明であり、以下、ＰＵＣＣＨ伝送に用いられる搬送波でＢＷＰ切り替えが発生するそれぞれの具体的なケースを詳細に記載する。
【００７７】
ケース１：
ＵＬ  ｇｒａｎｔによって指示され、又はタイマによってトリガーされるＵＬ  ＢＷＰ切り替えが発生すると、物理下りリンクチャネルのＨＡＲＱ−ＡＣＫは、切り替え後のＵＬ  ＢＷＰにおいてＰＵＣＣＨによる伝送を行わない。又は、物理下りリンクチャネルのＨＡＲＱ−ＡＣＫは、切り替え後のＵＬ  ＢＷＰにおいてＰＵＣＣＨのみによる伝送を行わない。又は、物理下りリンクチャネルのＨＡＲＱ−ＡＣＫは、切り替え後のＵＬ  ＢＷＰにおいて、ＢＷＰ切り替え完了後に送信されるＰＤＣＣＨにおけるＨＡＲＱ−ＡＣＫリソース指示フィールドに基づいて決定されるＰＵＣＣＨ、又は、ＢＷＰ切り替えポイントの後に送信されるＰＤＣＣＨにおけるＨＡＲＱ−ＡＣＫリソース指示フィールドに基づいて決定されるＰＵＣＣＨで伝送される。具体的には、物理下りリンクチャネルのＨＡＲＱ−ＡＣＫは、ＢＷＰ切り替え完了後に送信されるＰＤＣＣＨに対応するＨＡＲＱ−ＡＣＫ、又は、ＵＬ  ＢＷＰ切り替えポイントの後に送信されるＰＤＣＣＨに対応するＨＡＲＱ−ＡＣＫとは同一ＰＵＣＣＨで複信されて伝送される。
【００７８】
ここで、ＢＷＰ切り替え完了後に送信されるＰＤＣＣＨに対するＨＡＲＱ−ＡＣＫ、又は、ＵＬ  ＢＷＰ切り替えポイントの後に送信されるＰＤＣＣＨに対するＨＡＲＱ−ＡＣＫは、該ＰＤＣＣＨが下りＳＰＳリソース解放を指示するＰＤＣＣＨである場合、該ＰＤＣＣＨのＨＡＲＱ−ＡＣＫ、該ＰＤＣＣＨが１つのＰＤＳＣＨ伝送をスケジューリングするために使用される場合、該ＰＤＳＣＨのＨＡＲＱ−ＡＣＫを含む。
【００７９】
ここで、切り替えポイントとは、ＵＬ  ＢＷＰ切り替えを行うことが決定される時刻であり、例えば、ＢＷＰ切り替えを指示するＵＬ  ｇｒａｎｔの終了位置を切り替えポイントとしたり、タイマが満了した時刻を切り替えポイントとしたりする。
【００８０】
ここで、ＴＤＤにおいて、ＨＡＲＱ−ＡＣＫをｄｙｎａｍｉｃ  ＨＡＲＱ−ＡＣＫ  ｃｏｄｅｂｏｏｋで伝送する。ＦＤＤにおいて、ＨＡＲＱ−ＡＣＫを、ｄｙｎａｍｉｃ  ＨＡＲＱ−ＡＣＫ  ｃｏｄｅｂｏｏｋ又はｓｅｍｉ−ｓｔａｔｉｃ  ＨＡＲＱ−ＡＣＫ  ｃｏｄｅｂｏｏｋで伝送する。
【００８１】
ここで、ＰＵＣＣＨは、切り替えに対応する変換時間（ｔｒａｎｓｉｅｎｔ  ｔｉｍｅ）において伝送することができず、すなわちｔｒａｎｓｉｅｎｔ  ｔｉｍｅの後に伝送される。
【００８２】
ＦＤＤにおいて、ＵＬ  ＢＷＰ切り替えは、ＵＬ  ｇｒａｎｔを搬送するＰＤＣＣＨによってトリガーされるか、又はタイマによってトリガーされる。ＴＤＤにおいて、ＵＬ／ＤＬ  ＢＷＰ切り替えは、タイマによってトリガーされるか、又はＵＬ  ｇｒａｎｔを搬送するＰＤＣＣＨによってトリガーされる。
【００８３】
以下、ＰＵＣＣＨ伝送に用いられる搬送波でＢＷＰ切り替えが発生するケース１について、具体例を挙げて説明し、例２、例３を参照する。
【００８４】
例２：
ＴＤＤは、図８に示すように、ＣＣ１がＰＵＣＣＨを伝送するＣＣであり、ここで元の活性化ＢＷＰがＢＷＰ１であり、端末がＢＷＰ２でＰＵＳＣＨを受信するようにスケジューリングするＰＤＣＣＨ２であって、ＵＬ／ＤＬ  ＢＷＰ切り替えを指示するＵＬ  ｇｒａｎｔであるＰＤＣＣＨ２を、スロットｎ＋２において基地局が送信した場合、ＰＤＣＣＨ２よりも前に、ＢＷＰ切り替え後にＨＡＲＱ−ＡＣＫフィードバックを行うことが必要なＰＤＳＣＨ１が存在すると、該ＰＤＳＣＨをスケジューリングするＰＤＣＣＨ１に指示されたＫ１値に基づいて、そのＨＡＲＱ−ＡＣＫフィードバックの時間領域位置を決定する。例えばＫ１＝４のとき、切り替え後のｓｌｏｔ  ｎ＋５にフィードバックすると決定する。該ｓｌｏｔには、切り替え完了後に送信される任意のＰＤＣＣＨ（切り替え完了後に送信されるため、これらのＰＤＣＣＨに指示される上りリソースは、切り替え後のＵＬ  ＢＷＰに対するものであり、ＴＤＤにおいてＵＬとＤＬ切り替えが同時に行われるため、そのようなＰＤＣＣＨも、切り替え後のＢＷＰ２で送信される）によってスケジューリングされるＰＵＳＣＨ又はＰＵＣＣＨリソースがない。従って、端末は、切り替え後のＢＷＰ２のｓｌｏｔ  ｎ＋５において、切り替え前のＰＤＳＣＨ１のＨＡＲＱ−ＡＣＫを伝送しようとすると、ＰＤＳＣＨ１をスケジューリングするＰＤＣＣＨ１におけるＡＲＩフィールドに基づいてしかＰＵＣＣＨリソースを取得できない。しかし、該ＡＲＩフィールドは、本来、切り替え後のＢＷＰ２におけるＰＵＣＣＨリソースではなく、切り替え前のＢＷＰ１におけるＰＵＣＣＨリソースを指示する。従って、該ＡＲＩフィールドで決定されたＢＷＰ２のＰＵＣＣＨリソースでＢＷＰ２で伝送すると、基地局がＢＷＰ２の該ＰＵＣＣＨリソースを既に他の端末に割り当てていれば、異なる端末のＰＵＣＣＨリソースの衝突が発生し、各端末のＨＡＲＱ−ＡＣＫ伝送に影響を与える。そのため、この場合、ＰＵＣＣＨリソースの衝突を回避するために、切り替え前のＰＤＳＣＨ１のＨＡＲＱ−ＡＣＫは、切り替え後にＰＵＣＣＨで単独で伝送されない。
【００８５】
また例えば、Ｋ１＝６の場合、切り替え後のｓｌｏｔ  ｎ＋７にフィードバックすると決定する。該ｓｌｏｔには、切り替え完了後に送信されるＰＤＣＣＨ（切り替え完了後に送信されるため、これらのＰＤＣＣＨに指示される上りリソースは、切り替え後のＵＬ  ＢＷＰに対するものであり、ＴＤＤにおいてＵＬとＤＬ切り替えが同時に行われるため、そのようなＰＤＣＣＨも、切り替え後のＢＷＰ２で送信される）によってスケジューリングされるＰＵＣＣＨリソースが存在する。すなわち、切り替え後のＰＤＳＣＨ２のＨＡＲＱ−ＡＣＫも、そのＫ１値によってはｓｌｏｔ  ｎ＋７でフィードバックする必要がある。ｄｙｎａｍｉｃ  ＨＡＲＱ−ＡＣＫ  ｃｏｄｅｂｏｏｋにおいて、基地局は、ＰＤＣＣＨ１及びＰＤＣＣＨ３が使用するＤＣＩのＣ−ＤＡＩにより複数のＰＤＳＣＨを連続的にカウントし、ｓｌｏｔ  ｎ＋７で伝送されるＨＡＲＱ−ＡＣＫ総ビット数をＴ−ＤＡＩで与える。従って、ＢＷＰ切り替え前と切り替え後のＰＤＳＣＨのＨＡＲＱ−ＡＣＫが同一ＰＵＣＣＨで複信されて伝送されることを実現し、ＰＵＣＣＨリソースは、最後のＰＤＣＣＨにおけるＡＲＩフィールドで指示される。ＰＤＣＣＨ３は、切り替え後に発生するため、そのＡＲＩフィールドは、切り替え後のＵＬ  ＢＷＰ２上のＰＵＣＣＨリソースを指示するため、ＵＬ  ＢＷＰ２の他端末とのＰＵＣＣＨリソース衝突は存在しない。
【００８６】
例３：
ＦＤＤは、図９に示すように、ＣＣ１がＰＵＣＣＨを伝送するＣＣであり、ここで元の活性化ＵＬ  ＢＷＰがＢＷＰ１であり、元の活性化ＤＬ  ＢＷＰもＢＷＰ１であり、端末がＵＬ  ＢＷＰ２でＰＵＳＣＨを受信するようにスケジューリングするＰＤＣＣＨ２であって、ＵＬ  ＢＷＰ切り替えを指示するＵＬ  ｇｒａｎｔであるＰＤＣＣＨ２を、スロットｎ＋２において基地局が送信した場合、ＰＤＣＣＨ２よりも前に、ＵＬ  ＢＷＰ切り替え後にＨＡＲＱ−ＡＣＫフィードバックを行うことが必要なＰＤＳＣＨ１が活性化ＤＬ  ＢＷＰ（すなわちＢＷＰ１）に存在すると、該ＰＤＳＣＨをスケジューリングするＰＤＣＣＨ１に指示されたＫ１値に基づいて、そのＨＡＲＱ−ＡＣＫフィードバックの時間領域位置を決定する。例えばＫ１＝４のとき、切り替え後のｓｌｏｔ  ｎ＋５にフィードバックすると決定する。該ｓｌｏｔには、切り替え完了後に送信される任意のＰＤＣＣＨ（切り替えポイントの後に送信されるため、これらのＰＤＣＣＨに指示される上りリソースは、切り替え後のＵＬ  ＢＷＰに対するものであり、ＦＤＤにおいてＵＬとＤＬ切り替えが独立に行われるため、ＵＬ  ＢＷＰ切り替えの際に、ＤＬ  ＢＷＰ切り替えを行わなくてもよく、そのままＤＬ  ＢＷＰ１で伝送する）によってスケジューリングされるＰＵＳＣＨ又はＰＵＣＣＨリソースがない。従って、端末は、切り替え後のＵＬ  ＢＷＰ２のｓｌｏｔ  ｎ＋５において、切り替え前のＰＤＳＣＨ１のＨＡＲＱ−ＡＣＫを伝送しようとすると、ＰＤＳＣＨ１をスケジューリングするＰＤＣＣＨ１におけるＡＲＩフィールドに基づいてしかＰＵＣＣＨリソースを取得できない。しかし、該ＡＲＩフィールドは、本来、切り替え後のＵＬ  ＢＷＰ２におけるＰＵＣＣＨリソースではなく、切り替え前のＵＬ  ＢＷＰ１におけるＰＵＣＣＨリソースを指示する。従って、該ＡＲＩフィールドで決定されたＵＬ  ＢＷＰ２のＰＵＣＣＨリソースでＢＷＰ２で伝送すると、基地局がＵＬ  ＢＷＰ２の該ＰＵＣＣＨリソースを既に他の端末に割り当てていれば、異なる端末のＰＵＣＣＨリソースの衝突が発生し、各端末のＨＡＲＱ−ＡＣＫ伝送に影響を与える。そのため、この場合、ＰＵＣＣＨリソースの衝突を回避するために、切り替え前のＰＤＳＣＨ１のＨＡＲＱ−ＡＣＫは、切り替え後にＰＵＣＣＨで単独で伝送されない。
【００８７】
また例えば、Ｋ１＝６の場合、切り替え後のｓｌｏｔ  ｎ＋７にフィードバックすると決定する。該ｓｌｏｔには、切り替え完了後に送信されるＰＤＣＣＨ（切り替えポイントの後に送信されるため、これらのＰＤＣＣＨに指示される上りリソースは、切り替え後のＵＬ  ＢＷＰに対するものであり、ＦＤＤにおいてＵＬとＤＬ切り替えが独立に行われるため、ＵＬ  ＢＷＰ切り替えの際に、ＤＬ  ＢＷＰ切り替えを行わなくてもよく、そのままＤＬ  ＢＷＰ１で伝送する）によってスケジューリングされるＰＵＣＣＨリソースが存在する。すなわち、ＰＤＳＣＨ２のＨＡＲＱ−ＡＣＫも、そのＫ１値によってはｓｌｏｔ  ｎ＋７でフィードバックする必要がある。ｄｙｎａｍｉｃ  ＨＡＲＱ−ＡＣＫ  ｃｏｄｅｂｏｏｋにおいて、基地局は、ＰＤＣＣＨ１及びＰＤＣＣＨ３が使用するＤＣＩのＣ−ＤＡＩにより複数のＰＤＳＣＨを連続的にカウントし、ｓｌｏｔ  ｎ＋７で伝送されるＨＡＲＱ−ＡＣＫ総ビット数をＴ−ＤＡＩで与える。従って、ＵＬ  ＢＷＰ切り替え前と切り替え後のＰＤＳＣＨのＨＡＲＱ−ＡＣＫが同一ＰＵＣＣＨで複信されて伝送されることを実現し、ＰＵＣＣＨリソースは、最後のＰＤＣＣＨにおけるＡＲＩフィールドで指示される。ＰＤＣＣＨ３は、切り替え後に発生するため、そのＡＲＩフィールドは、切り替え後のＵＬ  ＢＷＰ２上のＰＵＣＣＨリソースを指示するため、ＵＬ  ＢＷＰ２の他端末とのＰＵＣＣＨリソース衝突は存在しない。上記実施例において、ＵＬ  ｇｒａｎｔによるＢＷＰ切り替えの指示を、タイマの満了によるＢＷＰ切り替えに置き換えても、同様に適用する。
【００８８】
ケース２：
ＵＬ  ｇｒａｎｔによって指示されるＵＬ  ＢＷＰ切り替え、又はタイマによってトリガーされるＵＬ  ＢＷＰ切り替えが発生する場合、又は、ＴＤＤにおいてＤＬ  ｇｒａｎｔによって指示されるＵＬ／ＤＬ  ＢＷＰ切り替え、又はタイマによってトリガーされるＵＬ／ＤＬ  ＢＷＰ切り替えが発生する場合、物理下りリンクチャネルのＨＡＲＱ−ＡＣＫは、切り替え後ＵＬ  ＢＷＰでＰＵＣＣＨを介して伝送されない。又は、物理下りリンクチャネルのＨＡＲＱ−ＡＣＫは、切り替え後ＵＬ  ＢＷＰでＰＵＣＣＨのみを介して伝送されない。又は、物理下りリンクチャネルのＨＡＲＱ−ＡＣＫは、切り替え後のＵＬ  ＢＷＰでＰＵＳＣＨを介して伝送される。
【００８９】
ここで、ＰＵＳＣＨは、具体的には、ＵＬ  ＢＷＰ切り替えを指示するＰＤＣＣＨがスケジューリングするＰＵＳＣＨ、又は、ＵＬ  ＢＷＰ切り替えを指示するＰＤＣＣＨの後に送信されるＰＤＣＣＨがスケジューリングするＰＵＳＣＨである。
【００９０】
ここで、ＰＵＳＣＨは、切り替えに対応するｔｒａｎｓｉｅｎｔ  ｔｉｍｅでは伝送されず、すなわちｔｒａｎｓｉｅｎｔ  ｔｉｍｅの後に伝送される。
【００９１】
ここで、ＴＤＤにおいて、ｄｙｎａｍｉｃ  ＨＡＲＱ−ＡＣＫ  ｃｏｄｅｂｏｏｋでＨＡＲＱ−ＡＣＫを伝送し、ＦＤＤにおいて、ｄｙｎａｍｉｃ  ＨＡＲＱ−ＡＣＫ  ｃｏｄｅｂｏｏｋ又はｓｅｍｉ−ｓｔａｔｉｃ  ＨＡＲＱ−ＡＣＫ  ｃｏｄｅｂｏｏｋでＨＡＲＱ−ＡＣＫを伝送する。
【００９２】
ＦＤＤにおいて、ＵＬ  ＢＷＰ切り替えは、ＤＬ  ＢＷＰ切り替えに影響を与えず、又はＴＤＤにおいて、ＴＤＤのＵＬ  ＢＷＰ及びＤＬ  ＢＷＰ切り替えは、同時に行われる。
【００９３】
以下、ＰＵＣＣＨ伝送に用いられる搬送波でＢＷＰ切り替えが発生するケース２について、具体例を挙げて説明し、例４、例５参照する。
【００９４】
例４：
ＴＤＤについては、図１０に示すように、例２と同様に具体的に想定し、ＦＤＤについては、図１１に示すように、例３と同様に具体的に想定する。
【００９５】
ＵＬ  ＢＷＰ切り替え前のＰＤＳＣＨ１に対応するＫ１＝３が決定された場合、切り替え後のｓｌｏｔ  ｎ＋４でフィードバックすることを決定する。そのｓｌｏｔには、切り替えを指示するＰＤＣＣＨによってスケジュールされるＰＵＳＣＨ伝送が存在するので、切り替え前のＰＤＳＣＨ１のＨＡＲＱ−ＡＣＫフィードバックは、切り替え後のＵＬ  ＢＷＰにおけるｓｌｏｔ  ｎ＋４のＰＵＳＣＨで伝送される。ＰＵＳＣＨのリソースは、ＵＬ  ＢＷＰ切り替えを指示するＰＤＣＣＨによってスケジュールされるので、そのスケジュールされる上りリソースは、切り替え後のＵＬ  ＢＷＰに対するものであるので、いかなるリソース衝突もない。
【００９６】
ＵＬ  ＢＷＰ切り替え前のＰＤＳＣＨ１に対応するＫ１＝５が決定された場合、切り替え後のｓｌｏｔ  ｎ＋６でフィードバックすることを決定する。該ｓｌｏｔには、切り替え完了後に送信されるＰＤＣＣＨによってスケジュールされるＰＵＳＣＨ伝送が存在するので、切り替え前のＰＤＳＣＨ１のＨＡＲＱ−ＡＣＫフィードバックは、切り替え後のＵＬ  ＢＷＰのｓｌｏｔ  ｎ＋６のＰＵＳＣＨで伝送される。ＰＵＳＣＨのリソースは、ＵＬ  ＢＷＰ切り替え後のＰＤＣＣＨによってスケジュールされるので、そのスケジュールされる上りリソースは、切り替え後のＵＬ  ＢＷＰに対するものであるので、いかなるリソース衝突もない。
【００９７】
例５：
ＴＤＤは、ＣＣ１がＰＵＣＣＨを伝送するＣＣであり、ここで元の活性化ＢＷＰがＢＷＰ１であり、端末がＢＷＰ２でＰＵＳＣＨを受信するようにスケジューリングするＰＤＣＣＨ２であって、ＵＬ／ＤＬ  ＢＷＰ切り替えを指示するＤＬ  ｇｒａｎｔであるＰＤＣＣＨ２を、スロットｎ＋２において基地局が送信した場合、ＰＤＣＣＨ２よりも前に、ＢＷＰ切り替え後にＨＡＲＱ−ＡＣＫフィードバックを行うことが必要なＰＤＳＣＨ１がＢＷＰ１に存在すると、図１２に示すように、ＵＬ  ＢＷＰ切り替え前のＰＤＳＣＨ１に対応するＫ１＝５を決定する場合、実行手順が上記と同様であるので、ここでは繰り返して記載しない。
【００９８】
ケース３：
ＴＤＤにおいて、ＤＬ  ｇｒａｎｔによって指示されるＵＬ／ＤＬ  ＢＷＰ切り替え、又はタイマによってトリガーされるＵＬ／ＤＬ  ＢＷＰ切り替えが発生すると、物理下りリンクチャネルのＨＡＲＱ−ＡＣＫは、切り替え後ＵＬ  ＢＷＰでＰＵＣＣＨを介して伝送されない。又は、物理下りリンクチャネルのＨＡＲＱ−ＡＣＫは、切り替え後ＵＬ  ＢＷＰでＰＵＣＣＨを介して単独で伝送されない。又は、物理下りリンクチャネルのＨＡＲＱ−ＡＣＫは、切り替え後ＵＬ  ＢＷＰにおいて、ＢＷＰ切り替え完了後に送信されたＰＤＣＣＨにおけるＨＡＲＱ−ＡＣＫリソース指示フィールドに基づいて決定されたＰＵＣＣＨ、又は、ＢＷＰ切り替えポイントの後に送信されたＰＤＣＣＨにおけるＨＡＲＱ−ＡＣＫリソース指示フィールドに基づいて決定されたＰＵＣＣＨで伝送される。具体的には、物理下りリンクチャネルのＨＡＲＱ−ＡＣＫは、ＢＷＰ切り替え完了後に送信されるＰＤＣＣＨに対応するＨＡＲＱ−ＡＣＫ、又は、ＵＬ  ＢＷＰ切り替えポイントの後に送信されるＰＤＣＣＨに対応するＨＡＲＱ−ＡＣＫとは同一ＰＵＣＣＨ上で複信されて伝送される。
【００９９】
ここで、ＢＷＰ切り替え完了後に送信されるＰＤＣＣＨに対するＨＡＲＱ−ＡＣＫ、又は、ＵＬ  ＢＷＰ切り替えポイントの後に送信されるＰＤＣＣＨに対するＨＡＲＱ−ＡＣＫは、該ＰＤＣＣＨが下りＳＰＳリソース解放を指示するＰＤＣＣＨである場合、該ＰＤＣＣＨのＨＡＲＱ−ＡＣＫ、該ＰＤＣＣＨが１つのＰＤＳＣＨ伝送をスケジューリングするために使用される場合、該ＰＤＳＣＨのＨＡＲＱ−ＡＣＫを含む。
【０１００】
ここで、切り替えポイントとは、ＵＬ  ＢＷＰ切り替えを行うことが決定される時刻であり、例えば、ＢＷＰ切り替えを指示するＵＬ  ｇｒａｎｔの終了位置を切り替えポイントとしたり、タイマが満了した時刻を切り替えポイントとしたりする。
【０１０１】
ここで、ＨＡＲＱ−ＡＣＫをｄｙｎａｍｉｃ  ＨＡＲＱ−ＡＣＫ  ｃｏｄｅｂｏｏｋで伝送する。
【０１０２】
ここで、ＰＵＣＣＨは、切り替えに対応する変換時間（ｔｒａｎｓｉｅｎｔ  ｔｉｍｅ）において伝送することができず、すなわちｔｒａｎｓｉｅｎｔ  ｔｉｍｅの後に伝送される。
【０１０３】
以下、ＰＵＣＣＨ伝送に用いられる搬送波でＢＷＰ切り替えが発生するケース３について、具体例を挙げて説明し、例６を参照する。
【０１０４】
例６：
ＴＤＤは、図１３に示すように、ＣＣ１がＰＵＣＣＨを伝送するＣＣであり、ここで元の活性化ＢＷＰがＢＷＰ１であり、端末がＢＷＰ２でＰＤＳＣＨを受信するようにスケジューリングするＰＤＣＣＨ２であって、ＵＬ／ＤＬ  ＢＷＰ切り替えを指示するＤＬ  ｇｒａｎｔであるＰＤＣＣＨ２を、スロットｎ＋２において基地局が送信した場合、ＰＤＣＣＨ２よりも前に、ＢＷＰ切り替え後にＨＡＲＱ−ＡＣＫフィードバックを行うことが必要なＰＤＳＣＨ１が存在すると、該ＰＤＳＣＨをスケジューリングするＰＤＣＣＨ１に指示されたＫ１値に基づいて、そのＨＡＲＱ−ＡＣＫフィードバックの時間領域位置を決定する。例えばＫ１＝４のとき、切り替え後のｓｌｏｔ  ｎ＋５にフィードバックすると決定する。該ｓｌｏｔには、ＢＷＰ切り替えを指示するＰＤＣＣＨによってスケジューリングされるＰＤＳＣＨのＨＡＲＱ−ＡＣＫフィードバックが存在し、すなわち、切り替え後のＰＤＳＣＨ２のＨＡＲＱ−ＡＣＫも、そのＫ１値によってはｓｌｏｔ  ｎ＋５でフィードバックする必要がある。ｄｙｎａｍｉｃ  ＨＡＲＱ−ＡＣＫ  ｃｏｄｅｂｏｏｋにおいて、基地局は、ＰＤＣＣＨ１及びＰＤＣＣＨ２が使用するＤＣＩのＣ−ＤＡＩにより複数のＰＤＳＣＨを連続的にカウントし、ｓｌｏｔ  ｎ＋５で伝送されるＨＡＲＱ−ＡＣＫ総ビット数をＴ−ＤＡＩで与える。従って、ＢＷＰ切り替え前と切り替え後のＰＤＳＣＨのＨＡＲＱ−ＡＣＫが同一ＰＵＣＣＨで複信されて伝送されることを実現し、ＰＵＣＣＨリソースは、最後のＰＤＣＣＨにおけるＡＲＩフィールドで指示される。ＰＤＣＣＨ２は、切り替えを指示するために用いられるため、そのＡＲＩフィールドは、切り替え後のＵＬ  ＢＷＰ２上のＰＵＣＣＨリソースを指示する。そのため、ＵＬ  ＢＷＰ２の他端末とのＰＵＣＣＨリソース衝突は存在しない。
【０１０５】
また例えば、Ｋ１＝６の場合、切り替え後のｓｌｏｔ  ｎ＋７にフィードバックすると決定する。該ｓｌｏｔには、切り替え完了後に送信されるＰＤＣＣＨ（切り替え完了後に送信されるため、これらのＰＤＣＣＨに指示される上りリソースは、切り替え後のＵＬ  ＢＷＰに対するものであり、ＴＤＤにおいてＵＬとＤＬ切り替えが同時に行われるため、そのようなＰＤＣＣＨも、切り替え後のＢＷＰ２で送信される）によってスケジューリングされるＰＵＣＣＨリソースが存在する。すなわち、切り替え後のＰＤＳＣＨ３のＨＡＲＱ−ＡＣＫも、そのＫ１値によってはｓｌｏｔ  ｎ＋７でフィードバックする必要がある。ｄｙｎａｍｉｃ  ＨＡＲＱ−ＡＣＫ  ｃｏｄｅｂｏｏｋにおいて、基地局は、ＰＤＣＣＨ１及びＰＤＣＣＨ３が使用するＤＣＩのＣ−ＤＡＩにより複数のＰＤＳＣＨを連続的にカウントし、ｓｌｏｔ  ｎ＋７で伝送されるＨＡＲＱ−ＡＣＫ総ビット数をＴ−ＤＡＩで与える。従って、ＢＷＰ切り替え前と切り替え後のＰＤＳＣＨのＨＡＲＱ−ＡＣＫが同一ＰＵＣＣＨで複信されて伝送されることを実現し、ＰＵＣＣＨリソースは、最後のＰＤＣＣＨにおけるＡＲＩフィールドで指示される。ＰＤＣＣＨ３は、切り替え後に発生するため、そのＡＲＩフィールドは、切り替え後のＵＬ  ＢＷＰ２上のＰＵＣＣＨリソースを指示するため、ＵＬ  ＢＷＰ２の他端末とのＰＵＣＣＨリソース衝突は存在しない。
【０１０６】
本開示の技術手段において、端末は、ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送できるか否かを決定することによって、設定条件に基づいて、物理下りリンクチャネルのＨＡＲＱ−ＡＣＫの切り替え後の伝送状況を決定することを実現するとともに、ＢＷＰ切り替えにおける物理下りリンクチャネルのＨＡＲＱ−ＡＣＫの正常なフィードバックを保証することができるので、システム効率を向上させる。
【０１０７】
以上、端末側からＨＡＲＱ−ＡＣＫメッセージの伝送方法を紹介したが、以下、基地局側から、ＨＡＲＱ−ＡＣＫメッセージの受信方法を紹介する。
【０１０８】
本開示の一部実施例は、ハイブリッド自動再送要求確認ＨＡＲＱ−ＡＣＫメッセージの受信方法を更に提供し、図１４に示すように、帯域幅部分ＢＷＰ切り替え前に、ＢＷＰ切り替え後にＨＡＲＱ−ＡＣＫフィードバックが必要となる物理下りリンクチャネルを端末に送信した場合、所定の規則に基づいて、ＢＷＰ切り替え後に物理下りリンクチャネルのＨＡＲＱ−ＡＣＫを受信するか否かを決定するステップ１４０１を含む。
【０１０９】
ＢＷＰ切り替え前に、ＢＷＰ切り替え後にＨＡＲＱ−ＡＣＫフィードバックが必要となる物理下りリンクチャネルを基地局から端末に送信した場合、端末は、物理下りリンクチャネルを受信し且つＢＷＰ切り替え後に、所定の規則に基づいて、ＢＷＰ切り替え後に物理下りリンクチャネルのＨＡＲＱ−ＡＣＫを伝送できるか否かを決定する。伝送可能な場合、基地局は、所定の規則に基づいて、端末からＢＷＰ切り替え後に伝送される物理下りリンクチャネルのＨＡＲＱ−ＡＣＫを受信する。
【０１１０】
上記方法によれば、ＢＷＰ切り替えにおける物理下りリンクチャネルのＨＡＲＱ−ＡＣＫの正常なフィードバックを保証することができるので、システム効率を向上させる。
【０１１１】
ここで、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【０１１２】
ＢＷＰ切り替え前に、ＢＷＰ切り替え後にＨＡＲＱ−ＡＣＫフィードバックが必要となるＰＤＳＣＨを受信した場合、所定の規則に基づいて、ＢＷＰ切り替え後にＰＤＳＣＨのＨＡＲＱ−ＡＣＫを伝送できるか否かを決定する。ＢＷＰ切り替え前に、ＢＷＰ切り替え後にＨＡＲＱ−ＡＣＫフィードバックが必要な下りＳＰＳリソース解放を指示するＰＤＣＣＨを受信した場合、ＢＷＰ切り替え後にＰＤＣＣＨのＨＡＲＱ−ＡＣＫを伝送できるか否かを所定の規則に基づいて決定する。
【０１１３】
ここで、所定の規則に基づいて、ＢＷＰ切り替え後に物理下りリンクチャネルのＨＡＲＱ−ＡＣＫを受信するか否かを決定するステップは、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫを受信するステップ、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを受信するステップを含む。
【０１１４】
ＰＵＣＣＨ伝送に用いられる搬送波でＢＷＰ切り替えが発生したか否かをまず検出し、ＰＵＣＣＨ伝送に用いられない搬送波でＢＷＰ切り替えが発生した場合には、ＢＷＰ切り替え後に物理下りリンクチャネルのＨＡＲＱ−ＡＣＫを受信する。
【０１１５】
ＦＤＤにおいて、ＢＷＰ切り替えがＤＬ  ＢＷＰ切り替えであると、物理下りリンクチャネルのＨＡＲＱ−ＡＣＫをＢＷＰ切り替え後に受信することもある。すなわち、ＦＤＤシステムの場合、ＤＬ  ＢＷＰ切り替えが発生したのは、ＰＵＣＣＨ伝送に用いられる搬送波であろうと、ＰＵＣＣＨ伝送に用いられない搬送波であろうと、ＨＡＲＱ−ＡＣＫの伝送に影響を与えない。これは、ＦＤＤにおいて、ＤＬ  ＢＷＰ切り替えしか存在しない場合、ＰＵＣＣＨ伝送に用いられるＵＬ  ＢＷＰが変換されないため、切り替え前のＰＤＣＣＨに基づいて該ＵＬ  ＢＷＰの上りチャネル伝送リソースを決定しても、切り替え後のＰＤＣＣＨに基づいて該ＵＬ  ＢＷＰの上りチャネル伝送リソースを決定しても、衝突が発生しないためである。
【０１１６】
ここで、ＢＷＰ切り替え後に物理下りリンクチャネルのＨＡＲＱ−ＡＣＫを受信する場合、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを受信することを含む。
【０１１７】
ＢＷＰ切り替え後に物理下りリンクチャネルのＨＡＲＱ−ＡＣＫを受信する場合、ＰＵＣＣＨ伝送に用いられる搬送波上の１つのＢＷＰで受信し、具体的には、ＰＵＣＣＨ又はＰＵＳＣＨによって受信する。
【０１１８】
本開示の一部実施例において、所定の規則に基づいて、ＢＷＰ切り替え後に物理下りリンクチャネルのＨＡＲＱ−ＡＣＫを受信するか否かを決定するステップは、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後に物理下りリンクチャネルのＨＡＲＱ−ＡＣＫの受信を行わないステップ、又は、ＢＷＰ切り替え後にＰＵＣＣＨのみによる物理下りリンクチャネルのＨＡＲＱ−ＡＣＫの受信を行わないステップ、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを受信するステップを含む。
【０１１９】
ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後に物理下りリンクチャネルのＨＡＲＱ−ＡＣＫの受信は、以下の複数のケースを含む。ＢＷＰ切り替え後にＰＵＣＣＨによる物理下りリンクチャネルのＨＡＲＱ−ＡＣＫの受信を行わない。又は、ＢＷＰ切り替え後にＰＵＣＣＨ伝送のみによる物理下りリンクチャネルのＨＡＲＱ−ＡＣＫの受信を行わない。又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて上りチャネルを決定し、上りチャネルで物理下りリンクチャネルのＨＡＲＱ−ＡＣＫを受信する。
【０１２０】
ここで、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【０１２１】
物理下りリンクチャネルのＨＡＲＱ−ＡＣＫは、ＢＷＰ切り替え後に、決定された上りチャネルで受信される。ここで、決定された上りチャネルは、ＰＵＣＣＨ又はＰＵＳＣＨである。ここで、ＰＵＣＣＨを決定する際、ＢＷＰ切り替えを指示するＰＤＣＣＨにおけるＨＡＲＱ−ＡＣＫリソース指示フィールドによって決定してもよいし、ＢＷＰ切り替え完了後に送信されるＰＤＣＣＨにおけるＨＡＲＱ−ＡＣＫリソース指示フィールドによって決定してもよいし、ＢＷＰ切り替えポイントの後に送信されるＰＤＣＣＨにおけるＨＡＲＱ−ＡＣＫリソース指示フィールドによって決定してもよい。
【０１２２】
ＰＵＳＣＨを決定する際、ＢＷＰ切り替えを指示するＰＤＣＣＨがスケジューリングするＰＵＳＣＨを、物理下りリンクチャネルのＨＡＲＱ−ＡＣＫを伝送するＰＵＳＣＨとしてもよいし、ＢＷＰ切り替え完了後に送信されるＰＤＣＣＨがスケジューリングするＰＵＳＣＨを、物理下りリンクチャネルのＨＡＲＱ−ＡＣＫを伝送するＰＵＳＣＨとしてもよいし、ＢＷＰ切り替えポイントの後に送信されるＰＤＣＣＨがスケジューリングするＰＵＳＣＨを、物理下りリンクチャネルのＨＡＲＱ−ＡＣＫを伝送するＰＵＳＣＨとしてもよい。このとき、ＨＡＲＱ−ＡＣＫがＰＵＳＣＨで伝送されること、例えば、ＰＵＳＣＨの開始シンボルに対して、ＨＡＲＱ−ＡＣＫに対応するＰＵＣＣＨリソースの開始シンボルが先行し又は揃っていることを保証する必要がある。
【０１２３】
ここで、ＢＷＰ切り替えは、ＰＵＣＣＨ伝送に用いられる搬送波で発生するか、ＰＵＣＣＨ伝送に用いられない搬送波で発生するかにかかわらず、ＢＷＰ切り替えは、下りＤＬ  ＢＷＰ及び／又は上りＵＬ  ＢＷＰ切り替えを含む。
【０１２４】
時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【０１２５】
具体的には、ＴＤＤの場合、ＢＷＰ切り替えは、タイマ又はＰＤＣＣＨでトリガーされるＵＬ／ＤＬ  ＢＷＰ切り替えを含む。ここで、ＴＤＤのＵＬ  ＢＷＰとＤＬ  ＢＷＰ切り替えは、同時に行われる。周波数分割複信ＦＤＤの場合、ＢＷＰ切り替えは、タイマによってトリガーされ、又はＰＤＣＣＨによって指示されるＤＬ及び／又はＵＬ  ＢＷＰ切り替えを含む。ここで、ＤＬ  ＢＷＰ切り替えは、タイマによってトリガーされ、又は、ＤＬ  ｇｒａｎｔを搬送するＰＤＣＣＨによってトリガーされるが、ＵＬ  ＢＷＰ切り替えは、ＵＬ  ｇｒａｎｔを搬送するＰＤＣＣＨによってトリガーされる。
【０１２６】
ここで、物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送し、又は、ＦＤＤにおいて、ＤＬ  ＢＷＰ切り替えの際に、動的ＨＡＲＱ−ＡＣＫコードブックでＨＡＲＱ−ＡＣＫを伝送し、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送する。
【０１２７】
物理下りリンクチャネルのＨＡＲＱ−ＡＣＫを伝送する場合、ＴＤＤにおいて、ＤＬ  ＢＷＰ切り替えが発生すると、動的ＨＡＲＱ−ＡＣＫコードブックでＨＡＲＱ−ＡＣＫを伝送する。ＦＤＤにおいて、ＤＬ  ＢＷＰ切り替えとＵＬ  ＢＷＰ切り替えに対応する伝送は、相違する。ＤＬ  ＢＷＰ切り替えが発生すると、動的ＨＡＲＱ−ＡＣＫコードブックでＨＡＲＱ−ＡＣＫを伝送するが、ＵＬ  ＢＷＰ切り替えが発生すると、ＨＡＲＱ−ＡＣＫは、動的ＨＡＲＱ−ＡＣＫコードブックで伝送し、又は、半静的ＨＡＲＱ−ＡＣＫコードブックで伝送する。
【０１２８】
本開示の技術手段において、基地局は、ＢＷＰ切り替え前に、ＢＷＰ切り替え後にＨＡＲＱ−ＡＣＫフィードバックが必要となる物理下りリンクチャネルを端末に送信した場合、ＢＷＰ切り替え後に物理下りリンクチャネルのＨＡＲＱ−ＡＣＫを伝送できることを端末が所定の規則に基づいて決定すると、端末から伝送される物理下りリンクチャネルのＨＡＲＱ−ＡＣＫを受信することによって、物理下りリンクチャネルのＨＡＲＱ−ＡＣＫの伝送を実現するとともに、ＢＷＰ切り替えにおける物理下りリンクチャネルのＨＡＲＱ−ＡＣＫの正常なフィードバックを保証することができるので、システム効率を向上させる。
【０１２９】
なお、明細書の全文にわたって言及されている「１つの実施例」や「一実施例」とは、実施例に関連する特定の特徴、構造又は特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造又は特性は、任意かつ適切な方式で１つ又は複数の実施例に組み入れられることができる。
【０１３０】
本開示の各実施例において、下記各プロセスの番号の大きさは、実行順の前後を意味するのではなく、各プロセスの実行順は、その機能及び内在的な論理によって決められるものであり、本開示の一部実施例の実施プロセスに対しいっさい限定を構成しないと理解すべきである。
【０１３１】
本開示の一部実施例において、基地局は、通常、基地局を指す。本開示の実施例において、前記基地局は、形態が限られず、マクロ基地局（Ｍａｃｒｏ  Ｂａｓｅ  Ｓｔａｔｉｏｎ）、ピコ基地局（Ｐｉｃｏ  Ｂａｓｅ  Ｓｔａｔｉｏｎ）、Ｎｏｄｅ  Ｂ（３Ｇモバイル基地局の呼称）、ｅＮＢ（強化型基地局）、家庭強化型基地局（Ｆｅｍｔｏ  ｅＮＢ又はＨｏｍｅ  ｅＮｏｄｅ  Ｂ又はＨｏｍｅ  ｅＮＢ又はＨｅＮＢ）、中継局、アクセスポイント、ＲＲＵ（Ｒｅｍｏｔｅ  Ｒａｄｉｏ  Ｕｎｉｔ）、ＲＲＨ（Ｒｅｍｏｔｅ  Ｒａｄｉｏ  Ｈｅａｄ）、ＣＵ（Ｃｅｎｔｒａｌ  Ｕｎｉｔ）やＤＵ（Ｄｉｓｔｒｉｂｕｔｅｄ  Ｕｎｉｔ）などの５Ｇ移動通信システムにおけるネットワーク側ノードである。前記端末は、モバイル電話（又は携帯電話）や、無線信号の送受信が可能な他の機器であり、ユーザ機器（ＵＥ）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をＷｉＦｉ信号に変換可能なＣＰＥ（Ｃｕｓｔｏｍｅｒ  Ｐｒｅｍｉｓｅ  Ｅｑｕｉｐｍｅｎｔ）やモバイルワイファイホットスポット、スマート家電、又はそれ以外の人の操作によらずに自発的に移動通信ネットワークと通信可能な機器などが含まれる。
【０１３２】
以上の方法に基づいて、本開示の一部実施例は、上記方法を実施する機器を更に提供する。
【０１３３】
図１５を参照すると、本開示の一部実施例による端末の１つの構造を示す図である。該端末１５００は、プロセッサ１５０１と、トランシーバ１５０２と、メモリ１５０３と、ユーザインタフェース１５０４と、バスインタフェースを含む。ここで、本開示の一部実施例において、端末１５００は、メモリ１５０３に記憶されてプロセッサ１５０１で動作可能なコンピュータプログラムを更に含む。前記プロセッサ１５０１は、メモリ１５０３からプログラムを読み取ることによって、帯域幅部分ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定するプロセスを実行することに用いられる。
【０１３４】
図１５において、バスアーキテクチャは、任意数の相互接続するバスとブリッジを含み、具体的に、プロセッサ１５０１をはじめとする１つ又は複数のプロセッサとメモリ１５０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１５０２は、複数の部品であってもよく、即ち送信機と受信機を含み、伝送媒体でほかの各種類の装置と通信するユニットとして提供される。ユーザ端末によっては、ユーザインタフェース１５０４は、内部接続や外部接続する機器のインタフェースであってもよい。接続する機器は、キーパッド、ディスプレイ、スピーカ、マイクロフォン、ジョイスティックなどを含むが、それらに限られない。
【０１３５】
プロセッサ１５０１は、バスアーキテクチャと通常の処理を管理する。メモリ１５０３は、プロセッサ１５０１による作業時に使用されるデータを記憶できる。
【０１３６】
選択可能に、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【０１３７】
選択可能に、プロセッサ１５０１は、更に、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫをトランシーバ１５０２によって伝送するステップ、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを伝送するステップを実行することに用いられる。
【０１３８】
選択可能に、トランシーバ１５０２は、更に、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを伝送するステップを実行することに用いられる。
【０１３９】
選択可能に、プロセッサ１５０１は、更に、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、トランシーバ１５０２を制御し、ＢＷＰ切り替え後にＰＵＣＣＨによる物理下りリンクチャネルのＨＡＲＱ−ＡＣＫの伝送を行わないステップ、又は、ＢＷＰ切り替え後にＰＵＣＣＨのみによる物理下りリンクチャネルのＨＡＲＱ−ＡＣＫの伝送を行わないステップ、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを伝送するステップを実行することに用いられる。
【０１４０】
選択可能に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【０１４１】
選択可能に、ＢＷＰ切り替えは、下りＤＬ  ＢＷＰ及び／又は上りＵＬ  ＢＷＰ切り替えを含む。
【０１４２】
選択可能に、時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【０１４３】
選択可能に、トランシーバが物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送し、又は、ＦＤＤにおいて、ＤＬ  ＢＷＰ切り替えの際に、動的ＨＡＲＱ−ＡＣＫコードブックでＨＡＲＱ−ＡＣＫを伝送し、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送する。
【０１４４】
本開示の一部実施例において、コンピュータプログラムが記憶されているコンピュータ読み取り可能な記憶媒体を更に提供し、該プログラムがプロセッサによって実行されると、帯域幅部分ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定するステップが実現される。
【０１４５】
該プログラムがプロセッサによって実行されると、上記の端末側に応用される伝送方法の実施例におけるすべての実現方式を実現可能であるので、重複を避けるために、ここでは繰り返して記載しない。本開示におけるコンピュータ読み取り可能な記憶媒体は、揮発性のコンピュータ読み取り可能な記憶媒体、非揮発性のコンピュータ読み取り可能な記憶媒体、又は、揮発性のコンピュータ読み取り可能な記憶媒体と非揮発性のコンピュータ読み取り可能な記憶媒体である。
【０１４６】
図１６を参照し、本開示の一部実施例による別の端末１６００は、帯域幅部分ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定するための第１決定モジュール１６０１を含む。
【０１４７】
ここで、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【０１４８】
ここで、第１決定モジュールは、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫを伝送するための第１伝送サブモジュール、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを伝送するための第２伝送サブモジュールを含む。
【０１４９】
第１伝送サブモジュールは、更に、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを伝送することに用いられる。
【０１５０】
ここで、第１決定モジュールは、更に、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後にＰＵＣＣＨによる物理下りリンクチャネルのＨＡＲＱ−ＡＣＫの伝送を行わないこと、又は、ＢＷＰ切り替え後にＰＵＣＣＨのみによる物理下りリンクチャネルのＨＡＲＱ−ＡＣＫの伝送を行わないこと、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを伝送することに用いられる。
【０１５１】
ここで、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【０１５２】
ここで、ＢＷＰ切り替えは、下りＤＬ  ＢＷＰ及び／又は上りＵＬ  ＢＷＰ切り替えを含む。
【０１５３】
ここで、時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【０１５４】
ここで、物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送するステップ、又は、ＦＤＤにおいて、ＤＬ  ＢＷＰ切り替えの際に、動的ＨＡＲＱ−ＡＣＫコードブックでＨＡＲＱ−ＡＣＫを伝送するステップ、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送するステップを含む。
【０１５５】
本開示の一部実施例の端末は、ＢＷＰ切り替え前に受信した物理下りリンクチャネルのＨＡＲＱ−ＡＣＫフィードバックがＢＷＰ切り替え後に必要となると、所定の規則に基づいて、ＢＷＰ切り替え後に物理下りリンクチャネルのＨＡＲＱ−ＡＣＫを伝送するか否かを決定することによって、設定条件に基づいて、物理下りリンクチャネルのＨＡＲＱ−ＡＣＫの切り替え後の伝送状況を決定することを実現するとともに、ＢＷＰ切り替えにおける物理下りリンクチャネルのＨＡＲＱ−ＡＣＫの正常なフィードバックを保証することができるので、システム効率を向上させる。
【０１５６】
図１７を参照すると、本開示の一部実施例による基地局１７００の１つの構造を示す図であり、プロセッサ１７０１と、トランシーバ１７０２と、メモリ１７０３と、バスインタフェースを含む。ここで、本開示の一部実施例において、基地局１７００は、メモリ１７０３に記憶されてプロセッサ１７０１で動作可能なコンピュータプログラムを更に含む。プロセッサ１７０１は、メモリ１７０３からプログラムを読み取ることによって、帯域幅部分ＢＷＰ切り替え前に、ＢＷＰ切り替え後にＨＡＲＱ−ＡＣＫフィードバックが必要となる物理下りリンクチャネルを端末に送信した場合、所定の規則に基づいて、ＢＷＰ切り替え後に物理下りリンクチャネルのＨＡＲＱ−ＡＣＫを受信するか否かを決定するプロセスを実行することに用いられる。
【０１５７】
図１７において、バスアーキテクチャは、任意数の相互接続するバスとブリッジを含み、具体的に、プロセッサ１７０１をはじめとする１つ又は複数のプロセッサとメモリ１７０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１７０２は、複数の部品であってもよく、即ち送信機と受信機を含み、伝送媒体でほかの各種類の装置と通信するユニットとして提供される。
【０１５８】
プロセッサ１７０１は、バスアーキテクチャと通常の処理を管理する。メモリ１７０３は、プロセッサ１７０１による作業時に使用されるデータを記憶できる。
【０１５９】
選択可能に、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【０１６０】
選択可能に、プロセッサ１７０１は、更に、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫをトランシーバによって伝送するステップ、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを伝送するステップを実行することに用いられる。
【０１６１】
選択可能に、トランシーバ１７０２は、更に、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを伝送するステップを実行することに用いられる。
【０１６２】
選択可能に、プロセッサ１７０１は、更に、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、トランシーバ１７０２を制御し、ＢＷＰ切り替え後にＰＵＣＣＨによる物理下りリンクチャネルのＨＡＲＱ−ＡＣＫの受信を行わないステップ、又は、ＢＷＰ切り替え後にＰＵＣＣＨのみによる物理下りリンクチャネルのＨＡＲＱ−ＡＣＫの伝送を行わないステップ、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを伝送するステップを実行することに用いられる。
【０１６３】
選択可能に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【０１６４】
選択可能に、ＢＷＰ切り替えは、下りＤＬ  ＢＷＰ及び／又は上りＵＬ  ＢＷＰ切り替えを含む。
【０１６５】
選択可能に、時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【０１６６】
選択可能に、トランシーバが物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送し、又は、ＦＤＤにおいて、ＤＬ  ＢＷＰ切り替えの際に、動的ＨＡＲＱ−ＡＣＫコードブックでＨＡＲＱ−ＡＣＫを伝送し、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送する。
【０１６７】
本開示の一部実施例において、コンピュータプログラムが記憶されているコンピュータ読み取り可能な記憶媒体を更に提供し、該プログラムがプロセッサによって実行されると、帯域幅部分ＢＷＰ切り替え前に、ＢＷＰ切り替え後にＨＡＲＱ−ＡＣＫフィードバックが必要となる物理下りリンクチャネルを端末に送信した場合、所定の規則に基づいて、ＢＷＰ切り替え後に物理下りリンクチャネルのＨＡＲＱ−ＡＣＫを受信するか否かを決定するステップが実現される。
【０１６８】
該プログラムがプロセッサによって実行されると、上記の基地局側に応用される伝送方法の実施例におけるすべての実現方式を実現可能であるので、重複を避けるために、ここでは繰り返して記載しない。本開示におけるコンピュータ読み取り可能な記憶媒体は、揮発性のコンピュータ読み取り可能な記憶媒体、非揮発性のコンピュータ読み取り可能な記憶媒体、又は、揮発性のコンピュータ読み取り可能な記憶媒体と非揮発性のコンピュータ読み取り可能な記憶媒体である。
【０１６９】
図１８を参照すると、本開示の一部実施例において、基地局１８００の別の構造を提供する。図１８に示すように、該基地局１８００は、帯域幅部分ＢＷＰ切り替え前に、ＢＷＰ切り替え後にＨＡＲＱ−ＡＣＫフィードバックが必要となる物理下りリンクチャネルを端末に送信した場合、所定の規則に基づいて、ＢＷＰ切り替え後に物理下りリンクチャネルのＨＡＲＱ−ＡＣＫを受信するか否かを決定するための第２決定モジュール１８０１を含む。
【０１７０】
選択可能に、物理下りリンクチャネルは、物理下りリンク共有チャネルＰＤＳＣＨ又は下り半永続スケジューリングＳＰＳリソース解放を指示する物理下りリンク制御チャネルＰＤＣＣＨを含む。
【０１７１】
ここで、第２決定モジュールは、物理上りリンク制御チャネルＰＵＣＣＨ伝送に用いられない搬送波でＢＷＰ切り替えが発生すると、ＢＷＰ切り替え後に物理下りリンクチャネルのＨＡＲＱ−ＡＣＫを受信するための第１受信サブモジュール、及び／又は、周波数分割複信ＦＤＤにおいて、ＢＷＰ切り替えがＤＬ  ＢＷＰ切り替えであると、ＢＷＰ切り替え後に物理下りリンクチャネルのＨＡＲＱ−ＡＣＫを受信するための第２受信サブモジュールを含む。
【０１７２】
第１受信サブモジュールは、更に、ＰＵＣＣＨ伝送に用いられる搬送波上の１つのＢＷＰでＰＵＣＣＨ又は物理上りリンク共有チャネルＰＵＳＣＨによって、物理下りリンクチャネルのＨＡＲＱ−ＡＣＫを受信することに用いられる。
【０１７３】
ここで、第２決定モジュールは、更に、ＰＵＣＣＨ伝送に用いられる搬送波でＢＷＰ切り替えが発生する場合、又は、ＰＵＣＣＨ伝送に用いられる搬送波でＢＷＰ切り替えが発生し且つＦＤＤにおいてＢＷＰ切り替えがＵＬ  ＢＷＰ切り替えである場合、又は、ＰＵＣＣＨ伝送に用いられる搬送波でＢＷＰ切り替えが発生し且つ時分割複信ＴＤＤである場合、ＢＷＰ切り替え後に物理下りリンクチャネルのＨＡＲＱ−ＡＣＫの受信を行わないこと、又は、ＢＷＰ切り替え後にＰＵＣＣＨのみによる物理下りリンクチャネルのＨＡＲＱ−ＡＣＫの受信を行わないこと、又は、ＢＷＰ切り替え後に、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで物理下りリンクチャネルのＨＡＲＱ−ＡＣＫを受信することに用いられる。
【０１７４】
ここで、ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、ＢＷＰ切り替えを指示するＰＤＣＣＨのＨＡＲＱ−ＡＣＫリソース指示フィールドに基づいて決定されるＰＵＣＣＨ、又は、ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、ＢＷＰ切り替えを指示するＰＤＣＣＨでスケジューリングされるＰＵＳＣＨ、又は、ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む。
【０１７５】
ここで、ＢＷＰ切り替えは、下りＤＬ  ＢＷＰ及び／又は上りＵＬ  ＢＷＰ切り替えを含む。
【０１７６】
ここで、時分割複信ＴＤＤにおいて、ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含む。又は、周波数分割複信ＦＤＤにおいて、ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む。
【０１７７】
ここで、物理下りリンクチャネルのＨＡＲＱ−ＡＣＫをＢＷＰ切り替え後に伝送する場合、ＴＤＤにおいて、動的ＨＡＲＱ−ＡＣＫコードブックでＨＡＲＱ−ＡＣＫを伝送するステップ、又は、ＦＤＤにおいて、ＤＬ  ＢＷＰ切り替えの際に、動的ＨＡＲＱ−ＡＣＫコードブックでＨＡＲＱ−ＡＣＫを伝送するステップ、又は、ＦＤＤにおいて、ＵＬ  ＢＷＰ切り替えの際に、動的ＨＡＲＱ−ＡＣＫコードブック又は半静的ＨＡＲＱ−ＡＣＫコードブックでＨＡＲＱ−ＡＣＫを伝送するステップを含む。
【０１７８】
本開示の一部実施例の基地局は、ＢＷＰ切り替え前に、ＢＷＰ切り替え後にＨＡＲＱ−ＡＣＫフィードバックが必要となる物理下りリンクチャネルを端末に送信した場合、ＢＷＰ切り替え後に物理下りリンクチャネルのＨＡＲＱ−ＡＣＫを伝送できることを端末が所定の規則に基づいて決定すると、端末から伝送される物理下りリンクチャネルのＨＡＲＱ−ＡＣＫを受信することによって、物理下りリンクチャネルのＨＡＲＱ−ＡＣＫの伝送を実現するとともに、ＢＷＰ切り替えにおける物理下りリンクチャネルのＨＡＲＱ−ＡＣＫの正常なフィードバックを保証することができるので、システム効率を向上させる。
【０１７９】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１８０】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１８１】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１８２】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の一部実施例の目的を実現する。
【０１８３】
また、本開示の各実施例における各機能的ユニットは、１つの処理ユニットに一体化されていてもよいし、物理的に別々に設けられていてもよいし、２つ以上が一体化されてもよい。
【０１８４】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又は基地局であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１８５】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021517439.tif 000003
【図２】
2021517439.tif 000004
【図３】
2021517439.tif 000005
【図４】
2021517439.tif 000006
【図５】
2021517439.tif 000007
【図６】
2021517439.tif 000008
【図７】
2021517439.tif 000009
【図８】
2021517439.tif 000010
【図９】
2021517439.tif 000011
【図１０】
2021517439.tif 000012
【図１１】
2021517439.tif 000013
【図１２】
2021517439.tif 000014
【図１３】
2021517439.tif 000015
【図１４】
2021517439.tif 000016
【図１５】
2021517439.tif 000017
【図１６】
2021517439.tif 000018
【図１７】
2021517439.tif 000019
【図１８】
2021517439.tif 000020
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
ハイブリッド自動再送要求確認ＨＡＲＱ−ＡＣＫメッセージの伝送方法であって、
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するステップを含む、ハイブリッド自動再送要求確認ＨＡＲＱ−ＡＣＫメッセージの伝送方法。
【請求項２】
前記の所定の規則に基づいて、前記ＢＷＰ切り替え後に前記物理下りリンクチャネルのＨＡＲＱ−ＡＣＫを伝送するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送するステップと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送するステップと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後にＰＵＣＣＨによる前記物理下りリンクチャネルのＨＡＲＱ−ＡＣＫの伝送を行わないステップ、又は、前記ＢＷＰ切り替え後にＰＵＣＣＨのみによる前記物理下りリンクチャネルのＨＡＲＱ−ＡＣＫの伝送を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送するステップとのうち、少なくとも１つを含む、請求項１に記載の方法。
【請求項３】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記の前記ＢＷＰ切り替え後に前記物理下りリンクチャネルのＨＡＲＱ−ＡＣＫを伝送するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送するステップを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項２に記載の方法。
【請求項４】
前記ＢＷＰ切り替えは、下りＤＬ  ＢＷＰ及び／又は上りＵＬ  ＢＷＰ切り替えを含み、または、
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項１〜３のいずれか一項に記載の方法。
【請求項５】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項１〜３のいずれか一項に記載の方法。
【請求項６】
ハイブリッド自動再送要求確認ＨＡＲＱ−ＡＣＫメッセージの伝送方法であって、
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するステップを含む、ハイブリッド自動再送要求確認ＨＡＲＱ−ＡＣＫメッセージの伝送方法。
【請求項７】
前記の所定の規則に基づいて、前記ＢＷＰ切り替え後に前記物理下りリンクチャネルのＨＡＲＱ−ＡＣＫを受信するか否かを決定するステップは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信するステップと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信するステップと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後に前記物理下りリンクチャネルのＨＡＲＱ−ＡＣＫの受信を行わないステップ、又は、前記ＢＷＰ切り替え後にＰＵＣＣＨのみによる前記物理下りリンクチャネルのＨＡＲＱ−ＡＣＫの受信を行わないステップ、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信するステップとのうち、少なくとも１つを含む、請求項６に記載の方法。
【請求項８】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記ＢＷＰ切り替え後に前記物理下りリンクチャネルのＨＡＲＱ−ＡＣＫを受信するステップは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信するステップを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項７に記載の方法。
【請求項９】
前記ＢＷＰ切り替えは、下りＤＬ  ＢＷＰ及び／又は上りＵＬ  ＢＷＰ切り替えを含み、または、
時分割複信ＴＤＤにおいて、前記ＢＷＰ切り替えは、タイマ、又は、上りグラントＵＬ  ｇｒａｎｔ又は下りグラントＤＬ  ｇｒａｎｔを搬送するＰＤＣＣＨでトリガーされるＵＬ  ＢＷＰ及びＤＬ  ＢＷＰ切り替えを含み、
又は、
周波数分割複信ＦＤＤにおいて、前記ＢＷＰ切り替えは、タイマによってトリガーされるＤＬ  ＢＷＰ切り替え、又は、ＤＬ  ｇｒａｎｔを搬送するＰＤＣＣＨでトリガーされるＤＬ  ＢＷＰ切り替え及び／又はＵＬ  ｇｒａｎｔを搬送するＰＤＣＣＨでトリガーされるＵＬ  ＢＷＰ切り替えを含む、請求項６〜８のいずれか一項に記載の方法。
【請求項１０】
前記物理下りリンクチャネルのＨＡＲＱ−ＡＣＫを前記ＢＷＰ切り替え後に伝送する場合、
ＴＤＤにおいて、動的ＨＡＲＱ−ＡＣＫコードブックで前記ＨＡＲＱ−ＡＣＫを伝送するステップ、又は、
ＦＤＤにおいて、ＤＬ  ＢＷＰ切り替えの際に、動的ＨＡＲＱ−ＡＣＫコードブックで前記ＨＡＲＱ−ＡＣＫを伝送するステップ、又は、
ＦＤＤにおいて、ＵＬ  ＢＷＰ切り替えの際に、動的ＨＡＲＱ−ＡＣＫコードブック又は半静的ＨＡＲＱ−ＡＣＫコードブックで前記ＨＡＲＱ−ＡＣＫを伝送するステップを含む、請求項６〜８のいずれか一項に記載の方法。
【請求項１１】
帯域幅部分ＢＷＰ切り替え前に受信した物理下りリンクチャネルのＨＡＲＱ−ＡＣＫフィードバックが前記ＢＷＰ切り替え後に必要となると、所定の規則に基づいて、前記ＢＷＰ切り替え後に前記物理下りリンクチャネルのＨＡＲＱ−ＡＣＫを伝送するか否かを決定するための第１決定モジュールを含む、端末。
【請求項１２】
前記第１決定モジュールは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを伝送することと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送することと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後にＰＵＣＣＨによる前記物理下りリンクチャネルのＨＡＲＱ−ＡＣＫの伝送を行わないこと、又は、前記ＢＷＰ切り替え後にＰＵＣＣＨのみによる前記物理下りリンクチャネルのＨＡＲＱ−ＡＣＫの伝送を行わないこと、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを伝送することとのうち、少なくとも１つに用いられる、請求項１１に記載の端末。
【請求項１３】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記の前記ＢＷＰ切り替え後に前記物理下りリンクチャネルのＨＡＲＱ−ＡＣＫを伝送することは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを伝送することを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項１２に記載の端末。
【請求項１４】
帯域幅部分ＢＷＰ切り替え前に、前記ＢＷＰ切り替え後にＨＡＲＱ−ＡＣＫフィードバックが必要となる物理下りリンクチャネルを端末に送信した場合、所定の規則に基づいて、前記ＢＷＰ切り替え後に前記物理下りリンクチャネルのＨＡＲＱ−ＡＣＫを受信するか否かを決定するための第２決定モジュールを含む、基地局。
【請求項１５】
前記第２決定モジュールは、
物理上りリンク制御チャネルＰＵＣＣＨ伝送に用いられない搬送波で前記ＢＷＰ切り替えが発生すると、前記ＢＷＰ切り替え後に前記物理下りリンクチャネルのＨＡＲＱ−ＡＣＫを受信することと、
ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを受信することと、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替え後に前記物理下りリンクチャネルのＨＡＲＱ−ＡＣＫの受信を行わないこと、又は、前記ＢＷＰ切り替え後にＰＵＣＣＨのみによる前記物理下りリンクチャネルのＨＡＲＱ−ＡＣＫの受信を行わないこと、又は、前記ＢＷＰ切り替え後に、前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルで前記物理下りリンクチャネルのＨＡＲＱ−ＡＣＫを受信することとのうち、少なくとも１つに用いられる、請求項１４に記載の基地局。
【請求項１６】
物理上りリンク制御チャネルＰＵＣＣＨ伝送に用いられない搬送波で前記ＢＷＰ切り替えが発生する場合、又は、ペアスペクトラムにおいて、前記ＢＷＰ切り替えがＤＬ  ＢＷＰ切り替えであると、前記ＢＷＰ切り替え後に前記物理下りリンクチャネルのＨＡＲＱ−ＡＣＫを伝送する場合、
前記ＢＷＰ切り替え後に前記物理下りリンクチャネルのＨＡＲＱ−ＡＣＫを受信することは、
ＰＵＣＣＨ伝送に用いられる搬送波上の１つのＢＷＰでＰＵＣＣＨ又は物理上りリンク共有チャネルＰＵＳＣＨによって、前記物理下りリンクチャネルのＨＡＲＱ−ＡＣＫを受信することを含み、および／または、
ＰＵＣＣＨ伝送に用いられる搬送波で前記ＢＷＰ切り替えが発生する場合、又は、ＰＵＣＣＨ伝送に用いられる搬送波で前記ＢＷＰ切り替えが発生し且つペアスペクトラムにおいて前記ＢＷＰ切り替えがＵＬ  ＢＷＰ切り替えである場合、又は、ＰＵＣＣＨ伝送に用いられる搬送波で前記ＢＷＰ切り替えが発生し且つアンペアスペクトラムである場合、
前記ＢＷＰ切り替えを指示するＰＤＣＣＨ、又はＢＷＰ切り替え完了後に送信されるＰＤＣＣＨ、又はＢＷＰ切り替えポイントの後に送信されるＰＤＣＣＨに基づいて決定された上りチャネルは、
前記ＢＷＰ切り替えを指示するＰＤＣＣＨのＨＡＲＱ−ＡＣＫリソース指示フィールドに基づいて決定されるＰＵＣＣＨ、又は、前記ＢＷＰ切り替え完了後に送信されるＰＤＣＣＨのＨＡＲＱ−ＡＣＫリソース指示フィールドに基づいて決定されるＰＵＣＣＨ、又は、ＢＷＰ切り替えポイントの後に送信されるＰＤＣＣＨのＨＡＲＱ−ＡＣＫリソース指示フィールドに基づいて決定されるＰＵＣＣＨを含み、又は、
前記ＢＷＰ切り替えを指示するＰＤＣＣＨでスケジューリングされるＰＵＳＣＨ、又は、前記ＢＷＰ切り替え完了後に送信されるＰＤＣＣＨでスケジューリングされるＰＵＳＣＨ、又は、ＢＷＰ切り替えポイントの後に送信されるＰＤＣＣＨでスケジューリングされるＰＵＳＣＨを含む、請求項１５に記載の基地局。
【国際調査報告】
2021517439.tif 000021
2021517439.tif 000022
2021517439.tif 000023
2021517439.tif 000024